(57)【要約】【課題】人間に快適な感性を与える照明制御技術を提案する。【解決手段】アロマポットに三色ＬＥＤから成る発光部を設け、発光部の発光色及び発光輝度を時間の関数ｆ（ｔ）を用いて変化させる。関数ｆ（ｔ）は、周波数が互いに異なる複数の正弦波の式を重み付け加算したものである。互いに異なる色である第１及び第２基準色を設定しておき、関数ｆ（ｔ）の値が最大値（関数ｆ（ｔ）の取り得る値の内の最大値）と一致する時には発光色が第１基準色となるように且つ関数ｆ（ｔ）の値が最小値と一致する時には発光色が第２基準色となるように、且つ、関数ｆ（ｔ）の値が最大値から最小値に向かうにつれて発光色が第１基準色から第２基準色へと徐々に変化するように、発光部を制御する。【選択図】図８
2011222470.tif 000002
【特許請求の範囲】
【請求項１】
発光色が可変の発光部を制御する発光制御装置において、
周波数が互いに異なる複数の正弦波の式の加算結果を含む時間の関数を用いて、時間経過とともに前記発光色を変化させる発光制御部を備えた
ことを特徴とする発光制御装置。
【請求項２】
前記発光制御部は、前記関数を用いて、時間経過とともに前記発光部からの光の強さをも変化させる
ことを特徴とする請求項１に記載の発光制御装置。
【請求項３】
前記関数は、前記複数の正弦波の式を重み付け加算した結果を含む
ことを特徴とする請求項１又は請求項２に記載の発光制御装置。
【請求項４】
前記複数の正弦波は、第１〜第５の正弦波を含み、
前記関数は、項（α１ｘ１＋α２ｘ２＋α３ｘ３＋α４ｘ４＋α５ｘ５）又は該項に比例する項を含み、
ｘｉは第ｉの正弦波の式であるとともに、αｉは所定の重み付け係数であり（ｉは１以上５以下の整数）、
前記第１〜第５の正弦波の周波数であるｆ１〜ｆ５は、Ｈｚを単位として、
０．７５≦ｆ１≦０．８５、
０．６４≦ｆ２≦０．７２、
０．４１≦ｆ３≦０．５５、
０．２５≦ｆ４≦０．３５、及び、
０．１６≦ｆ５≦０．２４、を満たし、
前記重み付け係数α１〜α５は、
０．２６≦α１≦０．３０、
０．２４≦α２≦０．２８、
０．３９≦α３≦０．４１、
０．２３≦α４≦０．２７、及び、
０．２５≦α５≦０．２９、を満たす
ことを特徴とする請求項３に記載の発光制御装置。
【請求項５】
前記周波数ｆ１〜ｆ５は、Ｈｚを単位として、
ｆ１＝０．８０、ｆ２＝０．６８、ｆ３＝０．４８、ｆ４＝０．３０及びｆ５＝０．２０を満たし、
前記重み付け係数α１〜α５は、
α１＝０．２８、α２＝０．２６、α３＝０．３９、α４＝０．２５及びα５＝０．２７を満たす
ことを特徴とする請求項４に記載の発光制御装置。
【請求項６】
前記複数の正弦波は、第１〜第５の正弦波を含み、
前記関数は、項（α１ｘ１＋α２ｘ２＋α３ｘ３＋α４ｘ４＋α５ｘ５）又は該項に比例する項を含み、
ｘｉは第ｉの正弦波の式であるとともに、αｉは所定の重み付け係数であり（ｉは１以上５以下の整数）、
前記第１〜第５の正弦波の周波数であるｆ１〜ｆ５は、Ｈｚを単位として、
０．７５≦ｆ１≦０．８５、
０．６４≦ｆ２≦０．７２、
０．４１≦ｆ３≦０．５５、
０．２５≦ｆ４≦０．３５、及び、
０．１６≦ｆ５≦０．２４、を満たし、
前記重み付け係数α４及びα５の夫々は、前記重み付け係数α１〜α３の夫々よりも大きい
ことを特徴とする請求項３に記載の発光制御装置。
【請求項７】
前記重み付け係数α１〜α５は、
α１＝α２＝α３＝０．１０、及び、α４＝α５＝０．５８、を満たす
ことを特徴とする請求項６に記載の発光制御装置。
【請求項８】
前記発光制御部は、
前記発光色の変化過程において前記発光色が緑色を含むように前記発光色を変化させる第１モード、
前記発光色の変化過程において前記発光色が赤色を含むように前記赤色を変化させる第２モード、及び、
前記発光色の変化過程において前記発光色が紫色を含むように前記発光色を変化させる第３モード、の内の少なくとも１つを含む複数のモードの何れかを、入力されたモード選択信号に応じて選択し、選択モードにて前記発光色を変化させる
ことを特徴とする請求項１〜請求項７の何れかに記載の発光制御装置。
【請求項９】
前記発光制御部は、
前記発光色の波長を４９０ｎｍから５６０ｎｍまでの範囲内で変化させる第１モード、
前記発光色の波長を５６０ｎｍから６３０ｎｍまでの範囲内で変化させる第２モード、及び、
前記発光色の波長を４００ｎｍから４５０ｎｍまでの範囲内で変化させる第３モード、の内の少なくとも１つを含む複数のモードの何れかを、入力されたモード選択信号に応じて選択し、選択モードにて前記発光色を変化させる
ことを特徴とする請求項１〜請求項７の何れかに記載の発光制御装置。
【請求項１０】
前記発光部による照明の下にいる人間の感性を、前記発光部の発光によって変化させる
ことを特徴とする請求項１〜請求項９の何れかに記載の発光制御装置。
【請求項１１】
発光色が可変の発光部と、
前記発光部を制御する、請求項１〜請求項１０の何れかに記載の発光制御装置と、を備えた
ことを特徴とする照明装置。
【請求項１２】
請求項１１に記載の照明装置と、
揮発性物質を拡散させる拡散部と、を備えた
ことを特徴とする照明付き拡散装置。
【発明の詳細な説明】
【技術分野】
【０００１】
本発明は、照明に利用可能な発光の状態を制御するための発光制御装置に関し、また、照明装置及び照明付き拡散装置に関する。
【背景技術】
【０００２】
一般的な照明装置は、一度起動すると一定の明るさで点灯し続けるが、明るさを一定にする制御は、人工的なイメージを人間に与え、自然と調和しつつ生存する人間にとって必ずしも快適な制御であるとは言えない。一方、自然界におけるあらゆる物理現象や生物現象にはゆらぎ（所謂１／ｆゆらぎ等）が存在しており、そのようなゆらぎが人間に心地よい影響を与えると言われている。例えば、蝋燭の炎の明暗におけるゆらぎが、これに当てはまる。但し、照明用に本物の蝋燭を利用することは安全性や利便性を考慮すると難しいことも多い。これを考慮し、下記特許文献１は、蝋燭の炎の明暗を模した電子キャンドルを提案している。
【０００３】
尚、下記特許文献２では、人間の呼吸周期と同期するように光度や光の色を変化させる照明方法が提案されている。また、下記特許文献３では、多数の照明装置の光度を制御することで部屋の照明状態を変化させる方法が提案されている。
【０００４】
一方、色彩には、様々な感性を人間に抱かせる作用があることが知られており、特に単色と感性との関係については様々な研究が成されている。例えば、オレンジ色は「リラックス」や「温かい」という感性を人間に抱かせ、青色は「落ち着き」や「冷たい」という感性を人間に抱かせると言われている。従って例えば、照明の色をオレンジ色にすることは人間をリラックスさせることに効果があると考えられ、照明の色を青色にすることは人間を落ち着かせることに効果があると考えられる。
【先行技術文献】
【特許文献】
【０００５】
【特許文献１】特開２００２−２７００１３号公報
【特許文献２】特開２０００−３５７５９１号公報
【特許文献３】特開２００６−２８６４２８号公報
【発明の概要】
【発明が解決しようとする課題】
【０００６】
但し、一定の明るさで点灯し続ける照明装置が人工的なイメージを人間に与えるのと同様に、一定の色で点灯し続けることも人間に人工的なイメージを与えるものと考えられる。三色ＬＥＤなどを利用して光の色を一定の周期で次々と変化させてゆく方法（例えば、一定時間が経過する度に光の色を、赤→緑→青→赤→緑→青→赤・・・と変化させていく方法）も存在するが、適当なゆらぎが人間に心地よい影響を与えることを考慮すれば、そのような変化も極めて人工的であって人間に心地よい影響を与えるとは言いがたい。複数の色を用いて人間に快適な感性を抱かせることができれば有益であり、そのような技術の開発が望まれている。尚、上記の各特許文献の技術は、このような要望に応える技術として十分であるとは言えない。
【０００７】
そこで本発明は、人間に快適な感性を抱かせることに寄与する発光制御装置、照明装置及び照明付き拡散装置を提供することを目的とする。
【課題を解決するための手段】
【０００８】
本発明に係る発光制御装置は、発光色が可変の発光部を制御する発光制御装置において、周波数が互いに異なる複数の正弦波の式の加算結果を含む時間の関数を用いて、時間経過とともに前記発光色を変化させる発光制御部を備えたことを特徴とする。
【０００９】
上記関数を用いて発光色を変化させることにより発光色が適度にゆらぐため、発光部の照明下にいる人間に快適な感性を抱かせることが可能となる。
【００１０】
また例えば、前記発光制御部は、前記関数を用いて、時間経過とともに前記発光部からの光の強さをも変化させる。
【００１１】
これにより、発光部からの光の強さも適度にゆらぐため、発光部の照明下にいる人間に快適な感性を抱かせるという作用の促進が期待される。
【００１２】
具体的には例えば、前記関数は、前記複数の正弦波の式を重み付け加算した結果を含む。
【００１３】
これにより、発光色に適度なゆらぎを持たせることが可能となる。
【００１４】
より具体的には例えば、前記複数の正弦波は、第１〜第５の正弦波を含み、前記関数は、項（α１ｘ１＋α２ｘ２＋α３ｘ３＋α４ｘ４＋α５ｘ５）又は該項に比例する項を含み、ｘｉは第ｉの正弦波の式であるとともに、αｉは所定の重み付け係数であり（ｉは１以上５以下の整数）、前記第１〜第５の正弦波の周波数であるｆ１〜ｆ５は、Ｈｚを単位として、
０．７５≦ｆ１≦０．８５、
０．６４≦ｆ２≦０．７２、
０．４１≦ｆ３≦０．５５、
０．２５≦ｆ４≦０．３５、及び、
０．１６≦ｆ５≦０．２４、を満たし、
前記重み付け係数α１〜α５は、
０．２６≦α１≦０．３０、
０．２４≦α２≦０．２８、
０．３９≦α３≦０．４１、
０．２３≦α４≦０．２７、及び、
０．２５≦α５≦０．２９、を満たす。
【００１５】
これにより、蝋燭の炎の輝度ゆらぎのような適度なゆらぎを発光色に持たせることが可能となる。
【００１６】
更に具体的には例えば、前記周波数ｆ１〜ｆ５は、Ｈｚを単位として、ｆ１＝０．８０、ｆ２＝０．６８、ｆ３＝０．４８、ｆ４＝０．３０及びｆ５＝０．２０を満たし、前記重み付け係数α１〜α５は、α１＝０．２８、α２＝０．２６、α３＝０．３９、α４＝０．２５及びα５＝０．２７を満たす。
【００１７】
これにより、蝋燭の炎の輝度ゆらぎのような適度なゆらぎを発光色に持たせることが可能となる。
【００１８】
或いは例えば、前記複数の正弦波は、第１〜第５の正弦波を含み、前記関数は、項（α１ｘ１＋α２ｘ２＋α３ｘ３＋α４ｘ４＋α５ｘ５）又は該項に比例する項を含み、ｘｉは第ｉの正弦波の式であるとともに、αｉは所定の重み付け係数であり（ｉは１以上５以下の整数）、前記第１〜第５の正弦波の周波数であるｆ１〜ｆ５は、Ｈｚを単位として、
０．７５≦ｆ１≦０．８５、
０．６４≦ｆ２≦０．７２、
０．４１≦ｆ３≦０．５５、
０．２５≦ｆ４≦０．３５、及び、
０．１６≦ｆ５≦０．２４、を満たし、
前記重み付け係数α４及びα５の夫々は、前記重み付け係数α１〜α３の夫々よりも大きい。
【００１９】
これにより、蝋燭の炎の輝度ゆらぎに近似した適度なゆらぎを発光色に持たせることが可能となる。
【００２０】
より具体的には例えば、前記重み付け係数α１〜α５は、α１＝α２＝α３＝０．１０、及び、α４＝α５＝０．５８、を満たす。
【００２１】
これにより、蝋燭の炎の輝度ゆらぎに近似した適度なゆらぎを発光色に持たせることが可能となる。
【００２２】
そして例えば、前記発光制御部は、前記発光色の変化過程において前記発光色が緑色を含むように前記発光色を変化させる第１モード、前記発光色の変化過程において前記発光色が赤色を含むように前記赤色を変化させる第２モード、及び、前記発光色の変化過程において前記発光色が紫色を含むように前記発光色を変化させる第３モード、の内の少なくとも１つを含む複数のモードの何れかを、入力されたモード選択信号に応じて選択し、選択モードにて前記発光色を変化させる。
【００２３】
これにより、発光部の照明下にいる人間に快適な感性（例えば、リラックス、リフレッシュ又はロマンティックという感性）を抱かせることが可能となる。
【００２４】
或いは例えば、前記発光制御部は、前記発光色の波長を４９０ｎｍから５６０ｎｍまでの範囲内で変化させる第１モード、前記発光色の波長を５６０ｎｍから６３０ｎｍまでの範囲内で変化させる第２モード、及び、前記発光色の波長を４００ｎｍから４５０ｎｍまでの範囲内で変化させる第３モード、の内の少なくとも１つを含む複数のモードの何れかを、入力されたモード選択信号に応じて選択し、選択モードにて前記発光色を変化させる。
【００２５】
これにより、発光部の照明下にいる人間に快適な感性（例えば、リラックス、リフレッシュ又はロマンティックという感性）を抱かせることが可能となる。
【００２６】
尚、発光色の波長の下限値及び上限値が夫々ＱＬ’及びＱＨ’である状態は、発光色の波長をＱＬからＱＨまでの範囲内で変化させる状態に属すると解釈される。ここで、ＱＬ、ＱＨ、ＱＬ’及びＱＨ’の単位はｎｍ（ナノメートル）であると共に、０＜ＱＬ＜ＱＨ、０＜ＱＬ’＜ＱＨ’、ＱＬ≦ＱＬ’且つＱＨ’≧ＱＨ、である。従って例えば、発光色の波長を５００ｎｍから５５０ｎｍまでの範囲内で変化させる制御は、発光色の波長を４９０ｎｍから５６０ｎｍまでの範囲内で変化させる制御に属する。
【００２７】
また例えば、当該発光制御装置は、前記発光部による照明の下にいる人間の感性を、前記発光部の発光によって変化させる。
【００２８】
これにより、発光部の照明下にいる人間の感性を快適なものに導くといったことが可能となる。
【００２９】
本発明に係る照明装置は、発光色が可変の発光部と、前記発光部を制御する上記の発光制御装置と、を備えたことを特徴とする。
【００３０】
このような照明装置によれば、発光色が適度にゆらぐため、発光部の照明下にいる人間に快適な感性を抱かせることが可能となる。
【００３１】
本発明に係る照明付き拡散装置は、前記照明装置と、揮発性物質を拡散させる拡散部と、を備えたことを特徴とする。
【００３２】
このような拡散装置によれば、発光色が適度にゆらぐため、発光部の照明下にいる人間に快適な感性を抱かせることが可能となる。更に、揮発性物質の種類を適切に選択すれば、揮発性物質の拡散による作用も加わって、快適な感性を抱かせる作用の促進が期待される。
【００３３】
また、発光色が可変の発光部を制御する発光制御方法において、周波数が互いに異なる複数の正弦波の式の加算結果を含む時間の関数を用いて、時間経過とともに前記発光色を変化させるようにしても良い。また、上記発光制御方法を実現するプログラムを形成しても良い。
【００３４】
これらの発光制御方法又はプログラムを用いれば、発光色が適度にゆらぐため、発光部の照明下にいる人間に快適な感性を抱かせることが可能となる。
【発明の効果】
【００３５】
本発明によれば、人間に快適な感性を抱かせることに寄与する発光制御装置、照明装置及び照明付き拡散装置を提供することが可能となる。
【００３６】
本発明の意義ないし効果は、以下に示す実施の形態の説明により更に明らかとなろう。ただし、以下の実施の形態は、あくまでも本発明の一つの実施形態であって、本発明ないし各構成要件の用語の意義は、以下の実施の形態に記載されたものに制限されるものではない。
【図面の簡単な説明】
【００３７】
【図１】本発明の実施形態に係る蝋燭実験の内容を説明するための図である。
【図２】蝋燭の炎における輝度のゆらぎに応じた関数の波形図である。
【図３】本発明の実施形態に係るアロマポットの機能ブロック図である。
【図４】図３に示される発光素子の内部構成図である。
【図５】本発明の実施形態に係るアロマポットの外観斜視図である。
【図６】本発明の実施形態に係るアロマポットの断面図である。
【図７】ＬＥＤのオン／オフ制御の内容を説明するための図である。
【図８】仮想照明モードにおける発光色、関数ｆ（ｔ）、発光比率ｄｕｔｙＲ及びｄｕｔｙＧの関係イメージ図（ａ）と、仮想照明モードにおける発光色の時間変化のイメージ図（ｂ）である。
【図９】関数ｆ（ｔ）の値と発光輝度の関係を示す図である。
【図１０】各ＬＥＤの発光比率を決定するために利用可能なルックアップテーブルを示す図である。
【図１１】関数ｆ（ｔ）の値から各ＬＥＤの発光比率を決定するためのパラメータが、照明モードごとに設定される様子を示した図である。
【図１２】本発明の実施形態に係るアロマポットの動作フローチャートを示す図である。
【図１３】実験に利用した２つの照明モードにおける発光色変化の概略イメージ図である。
【図１４】第１感性評価実験で用いた質問用紙の概要を示す図である。
【図１５】第１感性評価実験で用いた第１〜第１３の評価色を表す図である。
【図１６】第１感性評価実験で得られた感性マップを示す図である。
【図１７】図１６の感性マップから、「リラックス」に関与する部分を抽出した図である。
【図１８】図１６の感性マップから、「リフレッシュ」に関与する部分を抽出した図である。
【図１９】図１６の感性マップから、「ロマンティック」に関与する部分を抽出した図である。
【図２０】「リラックス」、「リフレッシュ」及び「ロマンティック」という感性に対応する３つの照明モードの発光条件を表した図である。
【図２１】第２感性評価実験にて用いられた第１〜第７パラメータ条件を表す図である。
【図２２】第２感性評価実験の結果に基づく棒グラフ図である。
【発明を実施するための形態】
【００３８】
以下、本発明の一実施形態につき、図面を参照して具体的に説明する。参照される各図において、同一の部分には同一の符号を付し、同一の部分に関する重複する説明を原則として省略する。
【００３９】
本実施形態では、人間に快適な感性を抱かせる特殊な照明方法を採用した照明付き香料拡散装置を説明する。
【００４０】
既に述べたように、一般的な照明装置は、一度起動すると一定の明るさで点灯し続けるが、明るさを一定にする制御は、人工的なイメージを人間に与え、自然と調和しつつ生存する人間にとって必ずしも快適な制御であるとは言えない。一方、自然界におけるあらゆる物理現象や生物現象にはゆらぎ（所謂１／ｆゆらぎ等）が存在しており、そのようなゆらぎが人間に心地よい影響を与えると言われている。例えば、蝋燭の炎の明暗におけるゆらぎが、これに当てはまる。そこで、まず、蝋燭の炎による光の明暗変化を、実験により検証した。この実験を、便宜上、蝋燭実験と呼ぶ。
【００４１】
蝋燭実験では、内部が空洞になっている半透明の筒状体の内部に点火した蝋燭を収容し、その蝋燭が収容された筒状体をデジタルビデオカメラにて動画像撮影した。これにより得られた動画像３００を、図１に示す如く表示装置の表示画面３１０上で再生し、再生された動画像３００上における、筒３２１の中にある蝋燭（不図示）の炎の部分（図１の破線枠３２０内の部分に相当）の輝度を、輝度計３３０を用い、蝋燭の炎の輝度として測定した。図１の表示画面３１０において、比較的輝度の高い部分は比較的白く示され、比較的輝度の低い部分は比較的黒く示されている。
【００４２】
この測定結果から、蝋燭の炎の輝度のパワースペクトラムを求めた。このパワースペクトラムによると、蝋燭の炎の輝度変化は、主として５つの周波数成分から成ることが分かった。即ち、パワースペクトラム上においてパワーが第１〜第５の周波数の夫々にて極大値をとっており、結果、蝋燭の炎の輝度は、該５つの周波数成分に対応する第１〜第５の周波数の夫々にてゆらいでいることが分かった。この第１〜第５の周波数を、夫々、ｆ１〜ｆ５にて表す。周波数ｆ１〜ｆ５の単位はＨｚ（ヘルツ）である。一例として、具体的には、（ｆ１，ｆ２，ｆ３，ｆ４，ｆ５）＝（０．８０，０．６８，０．４８，０．３０，０．２０）であった。即ち、周波数ｆ１、ｆ２、ｆ３、ｆ４及びｆ５は、夫々、０．８０、０．６８、０．４８、０．３０及び０．２０Ｈｚであった。従って以下では、特に記述なき限り、（ｆ１，ｆ２，ｆ３，ｆ４，ｆ５）＝（０．８０，０．６８，０．４８，０．３０，０．２０）であるとする。
【００４３】
蝋燭の炎の輝度は、実際には１Ｈｚ以上の周波数でもゆらいでおり、動画像３００の再生画面上でも１Ｈｚ以上の周波数による輝度のゆらぎが観測された。しかしながら、照明装置における比較的高周波の輝度ゆらぎは、劣化した電球のちらつきのようにも見え、本実施形態が目指す快適な照明装置の実現には寄与しがたい。そこで、輝度計３３０を用いて蝋燭の炎の輝度におけるゆらぎの周波数を決定する際、１Ｈｚ以上の輝度変化成分を無視した。以下では、蝋燭の炎の輝度変化は、例えば、上記５つの周波数成分のみから成ると仮定する。
【００４４】
そうすると、蝋燭の炎の輝度の値は、関数ｆ（ｔ）の値と、一定の直流成分値との和となる。関数ｆ（ｔ）は、蝋燭の炎の輝度の交流成分を表している。下記式（１）は関数ｆ（ｔ）の定義式であり、下記式（２）は関数ｘｉ（ｔ）の定義式である。ｉは整数である。
【００４５】
【数１】
2011222470.tif 000003


【００４６】
関数ｘｉ（ｔ）の式は、第ｉの周波数ｆｉを有する第ｉの正弦波の式である。即ち、関数ｘｉ（ｔ）は正弦関数である。但し、第ｉの正弦波の初期位相であるθｉがπ／２のとき、関数ｘｉ（ｔ）は余弦関数であるとも言える。同様に、θｉがπ／２のとき、関数ｘｉ（ｔ）の式は第ｉの周波数を有する第ｉの余弦波の式であるとも言えるが、本明細書では、正弦波と余弦波を区別することなく、式（２）の右辺にて表される波形を正弦波と呼ぶ。
【００４７】
πは円周率である。ｔは時間を表す。ｔの単位は秒である。従って、関数ｘｉ（ｔ）は時間の関数である。式（１）にて示されるように、関数ｆ（ｔ）は、関数ｘ１（ｔ）〜ｘ５（ｔ）を重み付け加算したものであるため、関数ｆ（ｔ）も時間の関数である。αｉは、この重み付け加算における、関数ｘｉ（ｔ）への重み付け係数である。
【００４８】
上記パワースペクトルを用いて、上記５つの周波数成分のパワーを比較することにより、重み付け係数α１〜α５間の比を求めたところ、一例を挙げると、
α１：α２：α３：α４：α５＝０．２８：０．２６：０．３９：０．２５：０．２７
であった。従って以下では、特に記述なき限り、（α１，α２，α３，α４，α５）＝（０．２８，０．２６，０．３９，０．２５，０．２７）であるとする。
【００４９】
図２のグラフにおいて、曲線３５０は、初期位相θ１〜θ５が全てπ／２であるとした時における関数ｆ（ｔ）の値の時間依存性を表している。図２において、横軸は時間ｔであり縦軸はｆ（ｔ）である。関数ｆ（ｔ）は、概ね１秒ごとの細かい増減に、２、３、５秒程度の増減が加わった関数となっている。即ち、蝋燭の炎の輝度は、概ね１、２、３、５秒ごとに増減することがわかった。尚、関数ｆ（ｔ）におけるθ１〜θ５は任意の角度値をとりうる。θ１〜θ５の角度値は共通であっても良いし、それらの角度値は互いに異なっていても良い。以下の説明では、特に記述なき限り、θ１〜θ５が全てπ／２であるとする。
［アロマポットの基本構成説明］
上記の蝋燭実験を踏まえて形成された、照明付き香料拡散装置（又は照明装置付き香料拡散装置）としてのアロマポット１の基本構成を説明する。図３は、アロマポット１の機能ブロック図である。アロマポット１は、符号１１〜２０によって参照される各部位を備える。発熱部１５は香料拡散部１４に内在している。
【００５０】
電源１１は、アルカリ乾電池のような一次電池又はニッケル水素電池のような二次電池である。電源回路１２は、電源１１の電力を用いて所望の電圧値を有する直流電圧を生成し、生成した直流電圧を内部電源電圧として出力する。香料拡散部１４、発光回路１７、主制御部１９及びパラメータＲＯＭ２０を含む、アロマポット１内の各部位は、電源回路１２からの内部電源電圧を駆動源として動作する。電源スイッチ１３は、アロマポット１を動作させるか否かを指示するためのスイッチであり、ユーザにより電源スイッチ１３がオン又はオフとされる。電源スイッチ１３がオンのときに内部電源電圧が生成されてアロマポット１が動作し、電源スイッチ１３がオフのときには内部電源電圧の生成が成されずアロマポット１は動作しない。以下、特に記述無き限り、電源スイッチ１３はオンになっているものとする。
【００５１】
香料拡散部１４は、香料を拡散させるための部位であり、香料を収容する香料収容部（後述の香料収容部６０；図６参照）と発熱部１５を備える。発熱部１５は、主制御部１９の制御の下、加熱される。発熱部１５の温度上昇によって香料収容部に収容された香料の温度も上昇し、これによって香料がアロマポット１の外部へ向かって拡散する。香料拡散部１４にて拡散されるべき香料は、任意の香料であって、例えば、精油（エッセンシャルオイル）を希釈した液体であるアロマオイルである。
【００５２】
発光素子１６は、図４に示す如く、赤色にて発光するＬＥＤ１６Ｒ、緑色にて発光するＬＥＤ１６Ｇ及び青色にて発光するＬＥＤ１６Ｂから成る三色ＬＥＤ（Light Emitting Diode）を備え、ＬＥＤ１６Ｒ、１６Ｇ及び１６Ｂの発光比率を調整することで任意の色の可視光を発光することができる。発光比率の調整は、主制御部１９によって成される。発光回路１７は、主制御部１９の制御の下、ＬＥＤ１６Ｒ、１６Ｇ及び１６Ｂの夫々を任意の発光比率で発光させる。
【００５３】
アロマポット１は、Ｎ個の照明モードの何れかにて動作することができる（Ｎは２以上の整数）。互いに異なる任意の照明モード間において、発光素子１６の発光状態は互いに異なる。発光素子１６の発光状態には、発光素子１６の発光色及び発光の輝度が含まれる。アロマポット１が実際に動作する照明モードを選択照明モードと呼ぶ。ユーザは、モード切替スイッチ１８を用いて選択照明モードを指定することができる。
【００５４】
主制御部１９は、ＣＰＵ（Central Processing Unit）及びＲＡＭ（Random Access Memory）等を含んで形成され、アロマポット１内の各部位の動作を統括的に制御する。主制御部１９は、モード切替スイッチ１８の状態に基づいて選択照明モードを決定し、選択照明モードに応じたパラメータをパラメータＲＯＭ２０から読み出す。そして、主制御部１９は、読み出したパラメータに従って発光回路１７を制御することにより選択照明モードに応じた発光状態にて発光素子１６を発光させる。
【００５５】
パラメータＲＯＭ２０は、各照明モードに対応するパラメータを格納したＲＯＭ（Read Only Memory）である。パラメータＲＯＭ２０に格納されるパラメータを、アロマポット１の設計段階又は製造段階において予め設定しておくことができる。パラメータの詳細は後述される。関数ｆ（ｔ）の式自体は主制御部１９に定義されているが、ｆ１〜ｆ５及びα１〜α５の具体的な数値はパラメータＲＯＭ２０に格納されている。それらの数値が主制御部１９によって読み出されることで主制御部１９において関数ｆ（ｔ）が認識される。
【００５６】
図５は、アロマポット１の外観斜視図である。アロマポット１の外形は、例えば、概ね円筒形状であり、アロマポット１の外形である円筒の上面に設けられた開口部５０から、香料が放出される。尚、アロマポット１の外観形状は任意に変更可能である。
【００５７】
図６は、上記円筒の中心軸に沿った断面による、アロマポット１の断面図である。図６に示す如く、符号５０〜６６によって参照される各部位がアロマポット１に設けられる。図６において、符号５１は、アロマポット１の主筐体である。主筐体５１は、底面を有する円筒形状の部材である。主筐体５１の内部であって且つ主筐体５１の底面側に基台５２が固定され、基台５２の内部には電池５４を収容するための電池収容部５３が設けられている。また、基台５２の上方側にスペーサを介して基板５５及び５６が固定される。符号５７は、基板５６上に実装されたＬＥＤ部である。
【００５８】
主筐体５１の内部空間の上方側には受け皿５８が設けられ、受け皿５８と蓋５９との間の空間である香料収容部６０に香料が収容される（図６において、香料が収容される様子の図示は割愛）。蓋５９は、主筐体５１に対して着脱可能であり、ユーザは、蓋５９を主筐体５１からはずした状態で香料を受け皿５８上に配置させることができる。蓋５９の端部と受け皿５８の端部を嵌合させることで蓋５９が主筐体５１に固定される（図６は、この嵌合が成されているときの断面図である）。
【００５９】
符号６１は、アルミニウムから形成される発熱体であり、符号６２は、発熱体６１と熱結合したＰＴＣ（Positive Temperature Coefficient）サーミスタである。発熱体６１及びＰＴＣサーミスタ６２は基板６３上に配置される。符号６４は、発熱体６１、ＰＴＣサーミスタ６２及び基板６３を、受け皿５８の近辺に保持するための内部筐体である。符号６５は、基板５５及び５６間を電気的に接続する配線であり、符号６６は、基板５５及び６３間を電気的に接続する配線である。
【００６０】
図３に示される部位と図６に示される部位の関係を説明する。図６の電池５４は、図３の電源１１に相当する。図３の電源スイッチ１３及びモード切替スイッチ１８は、図示の便宜上、図６には示されていない。図６の電池５４の出力電圧は図示されない接点機構及び配線を介して基板５５上に供給される。図３の電源回路１２、主制御部１９及びパラメータＲＯＭ２０は図６の基板５５上に実装され、図３の発光回路１７は図６の基板５６上に実装される。図６のＬＥＤ部５７は、図３の発光素子１６に相当する。図６の発熱体６１は、図３の発熱部１５に相当する。図３の香料拡散部１４は、図６の受け皿５８及び発熱体６１を含んで形成される。図３の香料拡散部１４に、図６の蓋５９が更に含まれていると考えても構わないし、ＰＴＣサーミスタ６２が更に含まれていると考えても構わない。
【００６１】
基板５５上に実装された主制御部１９は、電源回路１２にて生成された内部電源電圧を用いて発熱体６１を発熱させることで受け皿５８上の香料を加熱し、これによって蓋５９の開口部５０から香料を拡散させる。発熱体６１を発熱させるために発熱体６１に電力を供給する回路が基板６３上に設けられている。発熱体６１の温度が異常に高くなると、ＰＴＣサーミスタ６２の働きにより発熱体６１に供給される電力は急激に減少し、発熱体６１の温度が低下せしめられる。
【００６２】
主筐体５１及び蓋６１は、半透明又は透明の樹脂材料から成り、発光素子１６としてのＬＥＤ部５７からの光は、主筐体５１及び蓋６１の内側から外側に向かって放射される。即ち、ＬＥＤ部５７からの光は照明光としてアロマポット１の外部を照らす。
【００６３】
尚、電源１１としての電池５４を用いて内部電源電圧を生成するのではなく、商用交流電源を用いて内部電源電圧を生成するようにしても良い。この場合、商用交流電源からの交流電圧が電源回路１２にて直流電圧に変換されて該直流電圧が電源回路１２より内部電源電圧として出力される。
［発光状態の制御方法］
主制御部１９による、発光素子１６の発光状態の制御方法について説明する。尚、発光素子１６の発光状態に対する制御を発光制御と呼ぶ。
【００６４】
主制御部１９は、関数ｆ（ｔ）を用いて発光素子１６の発光色を制御することができる。アロマポット１内に設けられたタイマ（不図示）を用いて、主制御部１９は、各時刻における関数ｆ（ｔ）の値を決定する。発光素子１６の発光色とは、ＬＥＤ１６Ｒからの光、ＬＥＤ１６Ｇからの光及びＬＥＤ１６Ｂからの光を合成した光であり、上述したようにＬＥＤ１６Ｒ、１６Ｇ及び１６Ｂの発光比率を調整することで、発光素子１６の発光色を任意の可視光色とすることができる。以下、本実施形態において単に発光色といった場合、それは、発光素子１６の発光色を指すものとする。
【００６５】
ＬＥＤ１６Ｒに電流が供給されてＬＥＤ１６Ｒが発光している状態をＬＥＤ１６Ｒがオンであると表現し、ＬＥＤ１６Ｒに電流が供給されておらずＬＥＤ１６Ｒが発光していない状態をＬＥＤ１６Ｒがオフであると表現する。ＬＥＤ１６Ｒがオンとなっている時にＬＥＤ１６Ｒに流れる電流の値は一定であるとする。ＬＥＤ１６Ｒ以外のＬＥＤ（ＬＥＤ１６Ｇ、ＬＥＤ１６Ｂを含む）についても同様である。
【００６６】
ＬＥＤの制御方法として、例えば人間の目で認識できない程度の周期にてＬＥＤを点滅させ、その点滅におけるデューティ比（一周期におけるオン時間の比率）を変えることで人間が認知する光量を変化させる方法がある。この方法を各色ＬＥＤに適用することで各色ＬＥＤを併せた全体の発色や光量を制御することができる。今、一例として、このような方法がアロマポット１に用いられていることを想定する。ＬＥＤ１６Ｒ、１６Ｇ及び１６Ｂの発光比率を、夫々、ｄｕｔｙＲ、ｄｕｔｙＧ及びｄｕｔｙＢにて表す。各発光比率の単位は％である。ｄｕｔｙＲはＬＥＤ１６Ｒがオンとなる時間的比率を表しており、（１―ｄｕｔｙＲ）はＬＥＤ１６Ｒがオフとなる時間的比率を表している。ｄｕｔｙＧ及びｄｕｔｙＢについても同様である。主制御部１９がｄｕｔｙＲ、ｄｕｔｙＧ及びｄｕｔｙＢの値を算出し、発行回路１７がそれらの値に応じてＬＥＤ１６Ｒ、１６Ｇ及び１６Ｂを点滅させるための電圧をＬＥＤ１６Ｒ、１６Ｇ及び１６Ｂに印加する。
【００６７】
例えば、単位期間の長さが１０ミリ秒（１０ｍｓ）であることを想定する。単位期間は１０ミリ秒ごとに到来する。この場合において、或る注目期間中におけるｄｕｔｙＲが４０％であるならば、図７に示す如く、注目期間に属する各単位期間は４ミリ秒の長さを有するオン期間と６ミリ秒の長さを有するオフ期間に分割され、各オン期間においてＬＥＤ１６Ｒがオンとされ且つ各オフ期間においてＬＥＤ１６Ｒがオフとされる。或る単位期間中のＬＥＤ１６Ｒの平均輝度は、その単位期間中におけるｄｕｔｙＲに正比例する。即ち例えば、ｄｕｔｙＲ＝４０％であるときにおける、単位期間中のＬＥＤ１６Ｒの平均輝度は、ｄｕｔｙＲ＝１００％であるときにおけるそれの４０／１００である。尚、ここでは、発光比率の制御によって（即ち、ＬＥＤ１６Ｒのオン、オフを制御することによって）単位期間中のＬＥＤ１６Ｒの平均輝度を制御する方法を例示しているが、ＬＥＤ１６Ｒのオンとなっている期間中にＬＥＤ１６Ｒに流れる電流の値を制御することにより、単位期間中のＬＥＤ１６Ｒの平均輝度を制御するようにしてもよい。ＬＥＤ１６Ｇ及び１６Ｂについても同様である。
【００６８】
主制御部１９は、関数ｆ（ｔ）を用いて発光素子１６の発光色を第１基準色と第２基準色の間で変化させる。ここで、第１基準色の光の波長は、第２基準色の光の波長よりも長い。但し、第１基準色の光の波長を第２基準色の光の波長よりも短くすることも可能である。
【００６９】
上述したように、（α１，α２，α３，α４，α５）＝（０．２８，０．２６，０．３９，０．２５，０．２７）であるため、ｆ（ｔ）の最大値は１．４５であって且つｆ（ｔ）の最小値は（−１．４５）である。従って、主制御部１９は、“ｆ（ｔ）＝１．４５”の成立時に発光色が第１基準色となると共に“ｆ（ｔ）＝−１．４５” の成立時に発光色が第２基準色となるように、且つ、“−１．４５＜ｆ（ｔ）＜１．４５” の成立時に発光色が第１及び第２基準色間の色となるように発光回路１７を制御することができる。このような発光制御を、便宜上、発光制御ＬＣ１と呼ぶ。発光制御ＬＣ１では、ｆ（ｔ）の値が１．４５から（−１．４５）に向かうにつれて発光色が第１基準色から第２基準色へ向かって徐々に変化せしめられる。従って例えば、ｆ（ｔ）＝１．４０である時の発光色はｆ（ｔ）＝１．３０である時の発光色よりも第１基準色に近く、ｆ（ｔ）＝−１．４０である時の発光色はｆ（ｔ）＝−１．３０である時の発光色よりも第２基準色に近い。
【００７０】
説明の具体化のため、仮想照明モードを想定し、仮想照明モードで実行される発光制御ＬＣ１を説明する。仮想照明モードを、上記Ｎ個の照明モードの中に含めることもできる。仮想照明モードでは、第１基準色が“赤”であって且つ第２基準色が“緑”である。図８（ａ）は、仮想照明モードに発光制御ＬＣ１を適用した場合における、発光色、関数ｆ（ｔ）、発光比率ｄｕｔｙＲ及びｄｕｔｙＧの関係イメージ図である。
【００７１】
第１基準色が“赤”であって且つ第２基準色が“緑”である場合、“ｆ（ｔ）＝１．４５”の成立時において発光色が“赤”となり、“ｆ（ｔ）＝−１．４５”の成立時において発光色が“緑”となる。これを実現するべく、主制御部１９は、“ｆ（ｔ）＝１．４５”の成立時においてＬＥＤ１６Ｒのみをオンとし、“ｆ（ｔ）＝−１．４５”の成立時においてＬＥＤ１６Ｇのみをオンとする。即ち、“ｆ（ｔ）＝１．４５”の成立時において“ｄｕｔｙＲ：ｄｕｔｙＧ：ｄｕｔｙＧ＝１００：０：０”となるように且つ“ｆ（ｔ）＝−１．４５”の成立時において“ｄｕｔｙＲ：ｄｕｔｙＧ：ｄｕｔｙＧ＝０：１００：０”となるように、各ＬＥＤの発光比率を制御する。
【００７２】
そして、“−１．４５＜ｆ（ｔ）＜１．４５” の成立時においては、発光素子１６の発光色が“赤”と“緑”の間の色になるように各ＬＥＤの発光比率を制御する。“−１．４５＜ｆ（ｔ）＜１．４５”の成立時における各ＬＥＤの発光比率は、“ｆ（ｔ）＝１．４５”の成立時における各ＬＥＤの発光比率及び“ｆ（ｔ）＝−１．４５”の成立時における各ＬＥＤの発光比率に基づき、線形補間によって決定される。具体的には例えば、“ｆ（ｔ）＝１．４５”の成立時に
“ｄｕｔｙＲ：ｄｕｔｙＧ：ｄｕｔｙＧ＝１００：０：０”であって、且つ、
“ｆ（ｔ）＝−１．４５”の成立時に
“ｄｕｔｙＲ：ｄｕｔｙＧ：ｄｕｔｙＧ＝０：１００：０”であるから、
“ｆ（ｔ）＝０” の成立時においては
“ｄｕｔｙＲ：ｄｕｔｙＧ：ｄｕｔｙＧ＝５０：５０：０”となるように、且つ、
“ｆ（ｔ）＝０．７２５” の成立時においては
“ｄｕｔｙＲ：ｄｕｔｙＧ：ｄｕｔｙＧ＝７５：２５：０”となるように、且つ、
“ｆ（ｔ）＝−０．７２５” の成立時においては
“ｄｕｔｙＲ：ｄｕｔｙＧ：ｄｕｔｙＧ＝２５：７５：０”となるように、
各ＬＥＤの発光比率を制御する。尚、“ｄｕｔｙＲ：ｄｕｔｙＧ：ｄｕｔｙＧ＝５０：５０：０”のとき、発光色は概ね黄色となる。
【００７３】
図８（ｂ）は、仮想照明モードにおける発光色の時間変化のイメージ図である。図８（ｂ）の横方向は時間ｔに対応している。図８（ｂ）においては、図示の便宜上、発光色がより赤に近い部分をより黒く表し、発光色がより緑に近い部分をより白く表している。
【００７４】
発光制御ＬＣ１では、発光素子１６の発光色だけでなく、関数ｆ（ｔ）を用いて発光素子１６の発光輝度をも制御する。発光素子１６の発光輝度とは、ＬＥＤ１６Ｒ、１６Ｇ及び１６Ｂの発光によって得られる発光素子１６の全体的な輝度である。各ＬＥＤは高速で明滅するため、発光素子１６の発光輝度は一定期間中の平均輝度として与えられる。平均の期間は、上記単位期間又は単位期間の整数倍である。以下、本実施形態において単に発光輝度といった場合、それは、発光素子１６の発光輝度を指すものとする。
【００７５】
図９に示す如く、発光制御ＬＣ１の実行時において、主制御部１９は、“ｆ（ｔ）＝１．４５”の成立時に発光輝度が上限輝度ＬＭＡＸとなると共に“ｆ（ｔ）＝−１．４５” の成立時に発光輝度が下限輝度ＬＭＩＮとなるように、且つ、“−１．４５＜ｆ（ｔ）＜１．４５” の成立時にはｆ（ｔ）の値が１．４５から（−１．４５）に向かうにつれて発光輝度が上限輝度ＬＭＡＸから下限輝度ＬＭＩＮへ向かって徐々に減少するにように、発光回路１７を制御する。上限輝度ＬＭＡＸ及び下限輝度ＬＭＩＮは予め設定された輝度であり、ＬＭＡＸ＞ＬＭＩＮである。即ち、上限輝度ＬＭＡＸの方が下限輝度ＬＭＩＮよりも大きい。
【００７６】
“−１．４５＜ｆ（ｔ）＜１．４５”の成立時における発光輝度の目標値は、“ｆ（ｔ）＝１．４５”の成立時における発光輝度の目標値である上限輝度ＬＭＡＸ及び“ｆ（ｔ）＝−１．４５”の成立時における発光輝度の目標値である下限輝度ＬＭＩＮに基づき、線形補間によって決定される。具体的には例えば、発光輝度の目標値は、
“ｆ（ｔ）＝０” の成立時において“（ＬＭＡＸ＋ＬＭＩＮ）／２”であり、
“ｆ（ｔ）＝０．７２５” の成立時において“（３ＬＭＡＸ＋ＬＭＩＮ）／４”であり、
“ｆ（ｔ）＝−０．７２５” の成立時において“（ＬＭＡＸ＋３ＬＭＩＮ）／４”である。
主制御部１９は、実際の発光輝度が発光輝度の目標値と一致するように発光回路１７を制御する。
【００７７】
比“ｄｕｔｙＲ：ｄｕｔｙＧ：ｄｕｔｙＧ”さえ定まれば発光色は定まるが、発光輝度を定めるためにはｄｕｔｙＲ、ｄｕｔｙＧ及びｄｕｔｙＢの個々の値を定める必要がある。一方、ｄｕｔｙＲ、ｄｕｔｙＧ及びｄｕｔｙＢの値を定めた時に、どのような発光輝度が得られるかは、ＬＥＤ１６Ｒ、１６Ｇ及び１６Ｂの特性データ又は実際の発光輝度の測定結果から求まる。ここで求めた結果に基づけば、図１０（ａ）のＬＵＴ３１を形成することができる。ＬＵＴ３１は、比“ｄｕｔｙＲ：ｄｕｔｙＧ：ｄｕｔｙＧ”と発光輝度の目標値を入力すれば、それらの入力値に応じた発光比率の値（即ち、ｄｕｔｙＲ、ｄｕｔｙＧ及びｄｕｔｙＢの値）を出力するルックアップテーブルである。
【００７８】
他方、上述したように、ｆ（ｔ）の値が決まれば、所望の発光色を得るための比“ｄｕｔｙＲ：ｄｕｔｙＧ：ｄｕｔｙＧ”及び発光輝度の目標値が定まるのであるから、ＬＵＴ３１の内容を用いて、図１０（ｂ）のＬＵＴ３２を形成することもできる。ＬＵＴ３２は、ｆ（ｔ）の値を入力すれば、その入力値に応じた発光比率の値（即ち、ｄｕｔｙＲ、ｄｕｔｙＧ及びｄｕｔｙＢの値）を出力するルックアップテーブルである。
【００７９】
主制御部１９は、このＬＵＴ３２を用いることにより、注目時刻におけるｆ（ｔ）の値からｄｕｔｙＲ、ｄｕｔｙＧ及びｄｕｔｙＢの値を決定し、その決定したｄｕｔｙＲ、ｄｕｔｙＧ及びｄｕｔｙＢにてＬＥＤ１６Ｒ、１６Ｇ及び１６Ｂが明滅するように発光回路１７を制御する。これにより、注目時刻においてｆ（ｔ）の値に応じた発光色及び発光輝度を発光素子１６にて発生させることができる。
【００８０】
実際には、ＬＵＴ３２の入力及び出力間の関係を規定するパラメータが、図３のパラメータＲＯＭ２０に格納されている。従って、主制御部１９は、ｆ（ｔ）の値に応じたパラメータ（ｄｕｔｙＲ、ｄｕｔｙＧ及びｄｕｔｙＢの値を表すデータ）をパラメータＲＯＭ２０から読み出すことで、ｄｕｔｙＲ、ｄｕｔｙＧ及びｄｕｔｙＢの値を決定する。
【００８１】
仮想照明モードにおける発光制御ＬＣ１を説明したが、第１基準色及び第２基準色並びに上限輝度ＬＭＡＸ及び下限輝度ＬＭＩＮは照明モードごとに設定されており、照明モードが異なれば、第１基準色及び第２基準色並びに上限輝度ＬＭＡＸ及び下限輝度ＬＭＩＮの全部又は一部は異なる。例えば、或る照明モードでは第１及び第２基準色が“赤”及び“緑”であるが、他の照明モードでは第１及び第２基準色が“黄”及び“青”となる。
【００８２】
従って、照明モードごとに、ｆ（ｔ）の値とｄｕｔｙＲ、ｄｕｔｙＧ及びｄｕｔｙＢの値との関係を規定するパラメータが設定されてパラメータＲＯＭ２０に格納されている。即ち、図１１に示す、第１〜第ＮのパラメータがパラメータＲＯＭ２０に格納されている。第ｉのパラメータは、第ｉの照明モードにおけるｆ（ｔ）の値とｄｕｔｙＲ、ｄｕｔｙＧ及びｄｕｔｙＢの値との関係を規定するデータであり、それらは、第ｉの照明モードに対して設定された第１基準色及び第２基準色並びに上限輝度ＬＭＡＸ及び下限輝度ＬＭＩＮより決定される（ｉは整数）。主制御部１９は、選択照明モードに応じたパラメータをパラメータＲＯＭ２０から読み出すことで、選択照明モードに応じたｄｕｔｙＲ、ｄｕｔｙＧ及びｄｕｔｙＢの値を決定する。
【００８３】
尚、第ｉの照明モードにおいて、ｆ（ｔ）の値とｄｕｔｙＲ、ｄｕｔｙＧ及びｄｕｔｙＢの値との関係を数式化することができる場合には、その数式を定めるデータを第ｉのパラメータとしてパラメータＲＯＭ２０に格納しておくようにしても良い。この場合、その数式に各時刻におけるｆ（ｔ）の値を代入することで、演算により各時刻におけるｄｕｔｙＲ、ｄｕｔｙＧ及びｄｕｔｙＢの値を決定することができる。
［動作フローチャート］
次に、図３及び図１２を参照して、アロマポット１の動作手順を説明する。図１２は、アロマポット１の動作手順を表すフローチャートである。ステップＳ１０において電源スイッチ１３がオンとされると、まずステップＳ１１において、発熱部１５における発熱が開始し、これによって香料の拡散が開始する。この発熱は、電源スイッチ１３がオフとされるまで継続する（但し、図６のＰＴＣサーミスタ６２にて異常発熱が検出された場合を除く）。また、ステップＳ１１において、アロマポット１内に設けられたタイマ（不図示）を用い、主制御部１９は時間ｔの計測を開始する。時間ｔは、基準時刻からの経過時間である。基準時刻とは、電源スイッチ１３がオンとされた時刻又は電源スイッチ１３がオンとされた時刻から所定時間が経過した時刻である。ステップＳ１１の処理の後、ステップＳ１２〜Ｓ１５の処理が順次実行される。
【００８４】
ステップＳ１２において、主制御部１９は、モード切替スイッチ１８の状態に基づき選択照明モードを決定する。ステップＳ１３において、主制御部１９は、選択照明モードに応じたパラメータをパラメータＲＯＭ２０から読み出す。続くステップＳ１４において、主制御部１９は、ステップＳ１３にて読み出したパラメータを用いて発光制御を行う。ここにおける発光制御は、上述の発光制御ＬＣ１であっても良いし、後述の発光制御ＬＣ２であっても良い。
【００８５】
ステップＳ１５において、電源スイッチ１３がオフとなるとアロマポット１の動作は終了するが、電源スイッチ１３がオフになっていない場合にはステップＳ１５からステップＳ１２に戻って上述のステップＳ１２〜Ｓ１５の処理が繰り返し実行される。この繰り返しの過程において、時間ｔの増加に伴ってｆ（ｔ）の値が変化してゆくため、発光色及び発光輝度が変化してゆく。
［発光状態の変形制御方法］
ところで、図２からも分かるように、ｆ（ｔ）の絶対値が１や１．１を超える状態の発生は稀であり、ｆ（ｔ）の絶対値が１．４５となる状態はアロマポット１を長時間動作させても殆ど発生しない。従って、上述の発光制御ＬＣ１を用いた場合、発光色が第１又は第２基準色そのものとなることは稀となる。これを考慮し、上述の発光制御ＬＣ１の代わりに発光制御ＬＣ２を用いて発光素子１６の発光状態を制御するようにしても良い。
【００８６】
発光制御ＬＣ２では、“ｆ（ｔ）≧ＴＨ” の成立時において発光素子１６の発光色を“第１基準色”に固定すると共に、“ｆ（ｔ）≦−ＴＨ” の成立時において発光素子１６の発光色を“第２基準色”に固定する。ＴＨは、“０＜ＴＨ＜１．４５”を満たすように予め設定された閾値である。発光制御ＬＣ２を実行する際、主制御部１９は、“ｆ（ｔ）≧ＴＨ” の成立時に発光色が第１基準色となると共に“ｆ（ｔ）≦−ＴＨ” の成立時に発光色が第２基準色となるように、且つ、“−ＴＨ＜ｆ（ｔ）＜ＴＨ” の成立時に発光色が第１及び第２基準色間の色となるように発光回路１７を制御する。発光制御ＬＣ２では、ｆ（ｔ）の値がＴＨから（−ＴＨ）に向かうにつれて発光色が第１基準色から第２基準色へ向かって徐々に変化せしめられる。従って例えば、“ｆ（ｔ）＝ＴＨ−０．１”である時の発光色は“ｆ（ｔ）＝ＴＨ−０．２”である時の発光色よりも第１基準色に近く、“ｆ（ｔ）＝−ＴＨ＋０．１”である時の発光色は“ｆ（ｔ）＝−ＴＨ＋０．２”である時の発光色よりも第２基準色に近い（ここでは、ＴＨ＞０．２と仮定）。
【００８７】
また、発光制御ＬＣ２の実行時において、主制御部１９は、“ｆ（ｔ）≧ＴＨ”の成立時に発光輝度が上限輝度ＬＭＡＸとなると共に“ｆ（ｔ）≦−ＴＨ”の成立時に発光輝度が下限輝度ＬＭＩＮとなるように、且つ、“−ＴＨ＜ｆ（ｔ）＜ＴＨ” の成立時にはｆ（ｔ）の値がＴＨから（−ＴＨ）に向かうにつれて発光輝度が上限輝度ＬＭＡＸから下限輝度ＬＭＩＮへ向かって徐々に減少するにように、発光回路１７を制御する。
【００８８】
従って、上述の仮想照明モードに発光制御ＬＣ２を適用した場合の動作は以下の通りとなる。説明の具体化のため、ＴＨ＝１であるとする。この場合、“ｆ（ｔ）≧１”の成立時において発光色が“赤”となり、“ｆ（ｔ）≦−１”の成立時において発光色が“緑”となる。これを実現するべく、主制御部１９は、“ｆ（ｔ）≧１”の成立時において“ｄｕｔｙＲ：ｄｕｔｙＧ：ｄｕｔｙＧ＝１００：０：０”となるように且つ“ｆ（ｔ）≦−１”の成立時において“ｄｕｔｙＲ：ｄｕｔｙＧ：ｄｕｔｙＧ＝０：１００：０”となるように、各ＬＥＤの発光比率を制御する。 “−１＜ｆ（ｔ）＜１”の成立時における各ＬＥＤの発光比率は、 “ｆ（ｔ）＝１”の成立時における各ＬＥＤの発光比率及び“ｆ（ｔ）＝−１”の成立時における各ＬＥＤの発光比率に基づき、線形補間によって決定される。具体的には例えば、
“ｆ（ｔ）＝０” の成立時においては
“ｄｕｔｙＲ：ｄｕｔｙＧ：ｄｕｔｙＧ＝５０：５０：０”となるように、且つ、
“ｆ（ｔ）＝０．５” の成立時においては
“ｄｕｔｙＲ：ｄｕｔｙＧ：ｄｕｔｙＧ＝７５：２５：０”となるように、且つ、
“ｆ（ｔ）＝−０．５” の成立時においては
“ｄｕｔｙＲ：ｄｕｔｙＧ：ｄｕｔｙＧ＝２５：７５：０”となるように、
各ＬＥＤの発光比率を制御する。
【００８９】
“−１＜ｆ（ｔ）＜１”の成立時における発光輝度の目標値は、“ｆ（ｔ）＝１”の成立時における発光輝度の目標値である上限輝度ＬＭＡＸ及び“ｆ（ｔ）＝−１”の成立時における発光輝度の目標値である下限輝度ＬＭＩＮに基づき、線形補間によって決定される。具体的には例えば、発光制御ＬＣ２の実行時における発光輝度の目標値は、
“ｆ（ｔ）＝０” の成立時において“（ＬＭＡＸ＋ＬＭＩＮ）／２”とされ、
“ｆ（ｔ）＝０．５” の成立時において“（３ＬＭＡＸ＋ＬＭＩＮ）／４”とされ、
“ｆ（ｔ）＝−０．５” の成立時において“（ＬＭＡＸ＋３ＬＭＩＮ）／４”とされる。
主制御部１９は、実際の発光輝度が発光輝度の目標値と一致するように発光回路１７を制御する。
【００９０】
発光制御ＬＣ２を主制御部１９で実行する場合には、発光制御ＬＣ２の実現に適合したパラメータをパラメータＲＯＭ２０に格納しておけば足る。
［照明モードと感性との関係］
上述したように、一定の明るさ及び一定の色で光を放射する照明方法や、光の色を一定の周期で次々と変化させてゆく照明方法は人工的なイメージを人間に与えるため、これらの方法は、人間に快適な感性を抱かせる方法として適切とは言えない。心地良さ（リラックス効果や安眠効果等）を求めてアロマポットを利用するユーザにとっては尚更である。他方、上述したように、蝋燭の明暗ゆらぎのような自然界におけるゆらぎは人間に心地よい影響を与えると言われている。これを考慮し、アロマポット１では、蝋燭の明暗ゆらぎを模した関数ｆ（ｔ）に従って発光色及び発光輝度を変化させる。これにより、ユーザ（即ち、アロマポット１の照明下における人間）に心地よい影響を与えることが可能となる。換言すれば、照明によってユーザに快適な感性を抱かせることが可能となる。
【００９１】
ところで、ユーザは、モード切替スイッチ１８を用い、自身が抱きたい感性に応じて選択照明モードを指定することができる。
【００９２】
例えば、「リラックス」という感性を抱かせるのに適したリラックス照明モードや「ロマンティック」という感性を抱かせるのに適したロマンティック照明モードを第１〜第Ｎの照明モードの中に入れておき、「リラックス」という感性を抱かせるのに適した複数の色をリラックス照明モードの第１及び第２基準色として設定しておくと共に、「ロマンティック」という感性を抱かせるのに適した複数の色をロマンティック照明モードの第１及び第２基準色として設定しておくと良い。そうすれば、「リラックス」という感性を抱きたい場合、ユーザはリラックス照明モードを選択照明モードとして指定することができ、「ロマンティック」という感性を抱きたい場合、ユーザはロマンティック照明モードを選択照明モードとして指定することができる。
【００９３】
リラックス照明モードに対する第１及び第２基準色を主観実験の結果に基づいて決定することができる。具体的には例えば、第１及び第２基準色の組み合わせの候補として、Ｌ個の候補組み合わせを選定する（Ｌは２以上の整数）。各候補組み合わせは、第１基準色の候補である第１候補色と第２基準色の候補である第２候補色から成る。上述の仮想照明モードにおける第１及び第２基準色の組み合わせが候補組み合わせである場合、仮想照明モードに対応する第１及び第２候補色は夫々“赤”及び“緑”である（図８参照）。そして、第１の候補組み合わせにおける第１及び第２候補色を実際に第１及び第２基準色として採用した上でアロマポット１を動作させ、この時に被験者が抱いた感性をアンケート形式で回答してもらう。この回答を得る操作を、第２〜第Ｌの候補組み合わせに対しても個別に実行する。被験者の人数は多いほうが好ましい（例えば、２０人以上）。得られた各被験者の回答結果を公知の主成分分析を利用して解析することで、最も「リラックス」の感性を与えるのに適した候補組み合わせをＬ個の候補組み合わせの中から選択し、選択した候補組み合わせにおける第１及び第２候補色を、最終的にリラックス照明モードにおける第１及び第２基準色として決定すれば良い。ロマンティック照明モードについても同様である。
【００９４】
「リラックス」という感性を抱かせるための照明モード（便宜上、以下、照明モードＪＡと呼ぶ）について考察する。カラーセラピーにおいて、黄色は幸福や健康のイメージを人間に喚起させ、橙色はリラックスのイメージを人間に喚起させると言われている。特に、橙色の色温度は夕方の太陽の色温度に近いため、橙色は自律神経系に作用すると言われている。ここにおける黄色の波長は概ね５８０ｎｍ（ナノメートル）以上且つ５９５ｎｍ以下の範囲内の波長又はその近傍波長であり、橙色の波長は概ね５９５ｎｍ以上且つ６１０ｎｍ以下の範囲内の波長又はその近傍波長である。これを考慮し、ここでは、照明モードＪＡにおける第１及び第２基準色を夫々橙色及び黄色に設定することを想定する。例えば、照明モードＪＡの第１基準色の目標波長を６１０ｎｍに設定し、照明モードＪＡの第２基準色の目標波長を５８０ｎｍに設定する。また、照明モードＪＡに対して上述の発光制御ＬＣ１が適用されるものとする。照明モードＪＡにおいては、ＬＥＤ１６Ｒ、１６Ｇ及び１６Ｂの内、ＬＥＤ１６Ｒ及び１６Ｇのみを発光色の形成に寄与させるものとする。
【００９５】
尚、照明モードＪＡにおいて第１基準色の目標波長を６１０ｎｍに設定するとは、例えば、ｆ（ｘ）＝１．４５の成立時における発光色の色温度（単位期間中における発光色の平均的な色温度）が６１０ｎｍの波長を有する光の色温度と一致するように、ｆ（ｘ）＝１．４５の成立時におけるｄｕｔｙＲ、ｄｕｔｙＧ及びｄｕｔｙＢの値を決定することを意味する。同様に、照明モードＪＡにおいて第２基準色の目標波長を５８０ｎｍに設定するとは、例えば、ｆ（ｘ）＝−１．４５の成立時における発光色の色温度（単位期間中における発光色の平均的な色温度）が５８０ｎｍの波長を有する光の色温度と一致するように、ｆ（ｘ）＝−１．４５の成立時におけるｄｕｔｙＲ、ｄｕｔｙＧ及びｄｕｔｙＢの値を決定することを意味する。後述の照明モードＪＢの第１及び第２基準色の目標波長についても同様である。
【００９６】
図１３（ａ）は、照明モードＪＡにおける発光色変化のイメージ図である。図１３（ａ）は、発光色が概ね一定周期で黄色及び橙色間を行き来しているかのような図となっているが、実際には、ｆ（ｔ）の値に沿って発光色が変化している。
【００９７】
「ロマンティック」という感性を抱かせるための照明モード（便宜上、以下、照明モードＪＢと呼ぶ）について考察する。カラーセラピーにおいて、ピンク色はかわいいや幸せのイメージを人間に喚起させ、紫色は回復や優雅のイメージを人間に喚起させると言われている。ここにおけるピンク色の波長は概ね６５０ｎｍ以上且つ６７０ｎｍ以下の範囲内の波長又はその近傍波長であり、紫色の波長は概ね４００ｎｍ以上且つ４３５ｎｍ以下の範囲内の波長又はその近傍波長である。これを考慮し、ここでは、照明モードＪＢにおける第１及び第２基準色を夫々ピンク色及び紫色に設定することを想定する。例えば、照明モードＪＢの第１基準色の目標波長を６７０ｎｍに設定し、照明モードＪＢの第２基準色の目標波長を４００ｎｍに設定する。また、照明モードＪＢに対して上述の発光制御ＬＣ１が適用されるものとする。照明モードＪＢにおいては、ＬＥＤ１６Ｒ、１６Ｇ及び１６Ｂの内、ＬＥＤ１６Ｒ及び１６Ｂのみを発光色の形成に寄与させるものとする。
【００９８】
図１３（ｂ）は、照明モードＪＢにおける発光色変化のイメージ図である。ｆ（ｔ）が１．４５から（−１．４５）へと変化する際、発光色はピンク色から赤紫色及び青紫色を経て紫色へと変化し、ｆ（ｔ）が（−１．４５）から１．４５へと変化する際、発光色は紫色から青紫色及び赤紫色を経てピンク色へと変化する。図１３（ｂ）は、発光色が概ね一定周期でピンク色及び紫色間を行き来しているかのような図となっているが、実際には、ｆ（ｔ）の値に沿って発光色が変化している。
【００９９】
照明モードＪＡ及びＪＢの作用を以下の実験にて検証した。照明モードＪＡにて動作するアロマポット１を暗室内に配置した状態で被験者４０名にアロマポット１の照明を同暗室内で観察させ、リラックスを「感じる」か或いは「感じない」かを各被験者に回答させた。この結果、リラックスを「感じる」と回答した被験者の方が「感じない」と回答した被験者よりも有意に多いことが示された。同様に、照明モードＪＢにて動作するアロマポット１を暗室内に配置した状態で被験者４０名にアロマポット１の照明を同暗室内で観察させ、ロマンティックを「感じる」か或いは「感じない」かを各被験者に回答させた。この結果、ロマンティックを「感じる」と回答した被験者の方が「感じない」と回答した被験者よりも有意に多いことが示された。「感じる」と回答した被験者の方が「感じない」と回答した被験者よりも有意に多いか否かを峻別するための検定には、統計学における符号検定を用いた。検定の結果、有意水準５％未満で有意差が見られた。照明モードＪＡ及びＪＢに関する実験結果により、照明モードＪＡ及びＪＢの発光色変化による感性への有効な作用が確認された。従って例えば、照明モードＪＡ及びＪＢを、夫々、リラックス照明モード及びロマンティック照明モードとして採用することも有益である。
【０１００】
上述したように、アロマポット１は香料の拡散機能を備えている。香料には様々な作用があると言われており、香料の種類が異なれば、もたらされる作用も様々に異なる。アロマポット１を利用するユーザは、自身が抱きたい感性に応じて香料の種類を選定すると共に選択照明モードを指定することができる。これにより、上述の照明による作用に香料の作用も加わって、快適な感性を抱かせるという作用がより促進される。
［周波数ｆｉ及び重み付け係数αｉの数値範囲］
ところで、上述したｆ１〜ｆ５及びα１〜α５の具体的な値は、蝋燭実験に基づくｆ１〜ｆ５及びα１〜α５の基準値であり、その基準値から若干ずれた値をｆ１〜ｆ５及びα１〜α５の値として用いても良い。例えば、下記不等式（１１）〜（２０）を満たす範囲内でｆ１〜ｆ５及びα１〜α５を決定しても良い（ｆｉを含む不等式の単位はＨｚである）。
【０１０１】
０．７５≦ｆ１≦０．８５        ・・・（１１）
０．６４≦ｆ２≦０．７２        ・・・（１２）
０．４１≦ｆ３≦０．５５        ・・・（１３）
０．２５≦ｆ４≦０．３５        ・・・（１４）
０．１６≦ｆ５≦０．２４        ・・・（１５）
０．２６≦α１≦０．３０        ・・・（１６）
０．２４≦α２≦０．２８        ・・・（１７）
０．３９≦α３≦０．４１        ・・・（１８）
０．２３≦α４≦０．２７        ・・・（１９）
０．２５≦α５≦０．２９        ・・・（２０）
これらの不等式を満たすｆ１〜ｆ５及びα１〜α５を用いたならば、上記基準値を用いた場合と同程度の効果を得ることができる、と考えられる。
【０１０２】
上述のような数値範囲の設定の根拠を説明する。以下では、便宜上、ｆｉの基準値をｆｉＲＥＦと表記し、不等式（１１）〜（１５）におけるｆｉの上限値及び下限値をそれぞれｆｉＭＡＸ及びｆｉＭＩＮと表記する。同様に、αｉの基準値をαｉＲＥＦと表記し、不等式（１６）〜（２０）におけるαｉの上限値及び下限値をそれぞれαｉＭＡＸ及びαｉＭＩＮと表記する。そうすると、
（ｆ１ＭＩＮ，ｆ１ＲＥＦ，ｆ１ＭＡＸ）＝ （０．７５，０．８０，０．８５）、
（ｆ２ＭＩＮ，ｆ２ＲＥＦ，ｆ２ＭＡＸ）＝ （０．６４，０．６８，０．７２）、
（ｆ３ＭＩＮ，ｆ３ＲＥＦ，ｆ３ＭＡＸ）＝ （０．４１，０．４８，０．５５）、
（ｆ４ＭＩＮ，ｆ４ＲＥＦ，ｆ４ＭＡＸ）＝ （０．２５，０．３０，０．３５）、
（ｆ５ＭＩＮ，ｆ５ＲＥＦ，ｆ５ＭＡＸ）＝ （０．１６，０．２０，０．２４）、
（α１ＭＩＮ，α１ＲＥＦ，α１ＭＡＸ）＝ （０．２６，０．２８，０．３０）、
（α２ＭＩＮ，α２ＲＥＦ，α２ＭＡＸ）＝ （０．２４，０．２６，０．２８）、
（α３ＭＩＮ，α３ＲＥＦ，α３ＭＡＸ）＝ （０．３９，０．３９，０．４１）、
（α４ＭＩＮ，α４ＲＥＦ，α４ＭＡＸ）＝ （０．２３，０．２５，０．２７）、
（α５ＭＩＮ，α５ＲＥＦ，α５ＭＡＸ）＝ （０．２５，０．２７，０．２９）
である。
【０１０３】
統計学において観察された事象の起こりうる確率を考える場合、それぞれの事象における有意確率及び有意水準が重要となる。例えば、有意確率は、何らかの事象が偶然に起こりうる確率として考えられ、有意水準は、その有意確率に基づく、偶然と必然の境界を定める水準として考えられる。観察した結果、得られた事象の確率が有意水準よりも小さいと、有意差がある又は有意であると判断される。有意水準は、調査対象に応じて様々な値に設定されるが、一般的には５％に設定されることが多い。５％がどのような意味を持つかに関しては、幾つかの考え方が存在するが、例として以下の考え方を挙げる。
【０１０４】
勝負によって勝敗を決する特定の競技において、人物ＳＡが、自身との強弱関係が略互角と思える人物ＳＢと何回か勝負を行い、連続して負けたとする。このとき、「何回連続して人物ＳＡが負けたら、人物ＳＡよりも人物ＳＢの方が強いと言えるだろうか」という設問があるとする。人物ＳＡ及びＳＢ間の強弱関係が互角であるとき、個々の勝負において人物ＳＡが負ける確率は１／２であるため、人物ＳＡが５回連続して負ける確率は（１／２）５≒０．０３、即ち３％程度である（粗く捉えれば５％程度である）。従って、「人物ＳＡが５回連続して負けたら人物ＳＡよりも人物ＳＢの方が強いと認める」という判断基準では、本当は強弱関係が全くの互角であるのに人物ＳＡよりも人物ＳＢが強いと判断する確率が５％程度は存在することになる。このように、強弱関係が拮抗しているにも関らず５回連続で負けるということは稀であるということから、５％を有意水準として設定する場合が多い。
【０１０５】
上述のｆｉＭＡＸ、ｆｉＭＩＮ、αｉＭＡＸ及びαｉＭＩＮの具体的数値は、５％の有意水準に則って定められた数値である。例えば、ｆ１の基準値０．８０に±５％の幅を持たせて得られる数値範囲は“０．７６〜０．８４”であるから、ｆ１ＭＩＮ及びｆ１ＭＡＸに夫々０．７６及び０．８４を設定することも可能ではある。しかしながら、統計結果は５％を境界にして急峻に変化するようなものではなく、ｆ１の実際値と基準値ｆ１ＲＥＦとの差の変化に対して、なだらかな変化を持つと考えられる。このようななだらかな変化は、ｆ２〜ｆ５についても同様に生じ、またα１〜α５についても同様に生じる。これら全ての変化に対応できるようにすることを目標にして、上述のｆｉＭＡＸ、ｆｉＭＩＮ、αｉＭＡＸ及びαｉＭＩＮの具体的数値は定められている。
［第１感性評価実験］
次に、様々な色がどのような感性を人間に抱かせるかを評価するための主観実験（以下、第１感性評価実験という）を行った。第１感性評価実験では、女性６名と男性７名から成る計１３名の被験者に、第１〜第１３の評価色に対して抱く感性を評価させた。当然であるが、第１〜第１３の評価色は互いに異なる色である。
【０１０６】
具体的には、アロマポット１の発光色を実験的に第１の評価色に固定させた状態で各被験者にアロマポット１の照明を観察させ、その観察によって各被験者が抱く感性を各被験者に質問用紙を用いて回答させた。同様に、アロマポット１の発光色を実験的に第２の評価色に固定させた状態で各被験者にアロマポット１の照明を観察させ、その観察によって各被験者が抱く感性を各被験者に質問用紙を用いて回答させた。第３〜第１３評価色の夫々に対しても、同様にして各被験者からの回答を得た。第１感性評価実験において、アロマポット１の周辺照度は約１００ルクスであった。また、各々の被験者に対して第１〜第１３の評価色を提示する順序はランダムであり、各評価色の提示時間及び観察時間は被験者に依存した。
【０１０７】
図１４に、第１感性評価実験で用いた質問用紙の概要を示す。質問用紙には７６個の質問が存在し、各被験者は、評価色ごとに７６個の質問に対して回答する。質問ごとに、１つの感性ワードが割り当てられている。感性ワードとは、人間が抱きうる感性を表現した文言である。７６個の質問に対応付けられた計７６個の感性ワードは、当然、互いに異なる。各被験者は、或る評価色を観察した時に或る感性ワードに相当する感性を抱いたかどうかを５段階で評価した。この評価は、評価色ごとに且つ感性ワードごとに実施された。
【０１０８】
図１４には、例として７６個の質問の内の２つの質問が示されており、該２つの質問に対応する感性ワードは、「さわやかな」及び「都会的な」である。各被験者は、第ｉの評価色を観察した時に「さやわかな」印象を受けたかどうかを５段階で評価し、その評価結果を質問用紙に記入する。同様に、各被験者は、第ｉの評価色を観察した時に「都会的な」印象を受けたかどうかを５段階で評価し、その評価結果を質問用紙に記入する。同様の記入は残りの７４個の質問に対しても成される。
【０１０９】
図１５に、第１〜第１３の評価色を表にして示す。第１〜第１３の評価色は、夫々、ピンク色、ショッキングピンク色、赤色、朱色、橙色、黄色、黄緑色、緑色、青緑色、水色、青色、紫色、白青色である。白青色は、ペールブルーとも呼ばれる。第ｉの評価色を実験用のパーソナルコンピュータ（以下、実験用ＰＣと呼ぶ）のモニタに表示させるときに、該モニタに供給されるべきＲ信号、Ｇ信号及びＢ信号の値を、ＲＧＢ値と言う。図１５には、各評価色に対応するＲＧＢ値が示されている。Ｒ信号、Ｇ信号及びＢ信号の夫々は、０以上且つ２５５以下の何れかの整数値を有する８ビットのデジタル信号である。Ｒ信号の値ＲＳＶが大きいほど光の赤成分の強度が強く、Ｇ信号の値ＧＳＶが大きいほど光の緑成分の強度が強く、Ｂ信号の値ＢＳＶが大きいほど光の青成分の強度が強い。
【０１１０】
図１５に示す如く、第１〜第１３の評価色に対応するＲＧＢ値（ＲＳＶ，ＧＳＶ，ＢＳＶ）は、夫々、
（２５５，  ２５，２５５）、
（２５５，    ０，１２８）、
（２５５，    ０，  １５）、
（２５５，  ６０，    ０）、
（２５５，１７５，    ０）、
（２００，２５５，    ０）、
（  ４０，２５５，    ０）、
（    ０，１８０，  １５）、
（    ０，２５５，２５５）、
（    ０，  ５０，２５５）、
（    ０，    ０，２５５）、
（  ４０，    ０，１１５）、
（  ７０，  ７０，２５５）、
であった。
【０１１１】
１３名の被験者の全回答結果から成る評価データＥＤＡＴＡを、多変量解析の一手法である主成分分析によって分析した。主成分分析の方法自体は周知であるので、ここでは詳細な説明を割愛する。尚、第１感性評価実験で用いた上述のような評価方法は、心理学の分野において一般的なものであり、官能検査においても用いられるものである。
【０１１２】
上記の主成分分析によって、評価データＥＤＡＴＡから互いに直交する第１主成分及び第２主成分を抽出し、第１主成分に対応する軸及び第２主成分に対応する軸を横軸及び縦軸にとった感性マップを作成して、該感性マップ上に、上記７６個の感性ワードの内の幾つかの感性ワードをマッピングした。図１６に、このマッピングの成された感性マップを示す。感性マップの横軸に対応する第１主成分の負荷量の上限値及び下限値は、夫々１．０及び（−１．０）であり、感性マップの縦軸に対応する第２主成分の負荷量の上限値及び下限値も、夫々１．０及び（−１．０）である。例えば、感性ワード「さわやかな」における第１及び第２主成分の負荷量は概ね夫々０．８５及び０．４０であり、感性ワード「都会的な」における第１及び第２主成分の負荷量は概ね夫々０．０５及び（−０．６０）である。
【０１１３】
図１６の感性マップ上には、更に、幾つかの評価色の対応位置も示されている。評価データＥＤＡＴＡから第１の評価色に対応する第１及び第２主成分の負荷量を算出し、算出した負荷量の対応位置を感性マップ上にマッピングする。マッピングされた対応位置を、便宜上、感性位置と呼ぶ。第１の評価色以外の評価色に対しても同様の算出処理を行うことで、各評価色の感性位置が求められる。
【０１１４】
図１６において、矢印ＡＲ９、ＡＲ８、ＡＲ７、ＡＲ６、ＡＲ５、ＡＲ３、ＡＲ１、ＡＲ１２及びＡＲ１３の矢先の位置は、夫々、
第９の評価色である青緑色の感性位置、
第８の評価色である緑色の感性位置、
第７の評価色である黄緑色の感性位置、
第６の評価色である黄色の感性位置、
第５の評価色である橙色の感性位置、
第３の評価色である赤色の感性位置、
第１の評価色であるピンク色の感性位置、
第１２の評価色である紫色の感性位置、及び、
第１３の評価色である白青色の感性位置を表している。
【０１１５】
図１６に感性位置が示された９つの評価色の内、感性ワード「暖かい」のマッピング位置に対して赤色の感性位置が最も近い。これは、この９つの評価色の内、「赤色」を観察したときに被験者が「暖かい」という印象を最も強く受けたことを示している。他の感性ワードについても同様である。
【０１１６】
感性マップ上において、互いに近接した位置に集まっている複数の感性ワードは、或る程度似通った意味のまとまりを形成している。図１７は、図１６から第１のまとまりに対応する部分のみを抽出した感性マップ図であり、図１８は、図１６から第２のまとまりに対応する部分のみを抽出した感性マップ図であり、図１９は、図１６から第３のまとまりに対応する部分のみを抽出した感性マップ図である。図１６は、図１７〜図１９を合成した図に相当する。
【０１１７】
図１７において、破線で囲まれた領域４１１は、第１のまとまりに属する感性ワードのマッピング位置を内包する、感性マップ上の領域である。第１のまとまりに属する感性ワードは、感性ワード「落ち着いた」、「眠りやすい」、「さわやかな」、「ゆったりした」、「すっきりした」、「おだやかな」、「心地よい」及び「なじみやすい」を含む。第１のまとまりに属する感性ワードの全てに共通する概念は「リラックス」である。また、領域４１１には、第９の評価色である青緑色の感性位置、第８の評価色である緑色の感性位置及び第７の評価色である黄緑色の感性位置も属している。従って、第９、第８及び第７の評価色としての青緑色、緑色及び黄緑色は、「リラックス」という感性を抱かせるのに適した色であることが分かる。
【０１１８】
このことから、発光色を関数ｆ（ｔ）に従って変化させる過程において、発光色が第９の評価色になるタイミング、発光色が第８の評価色になるタイミング及び発光色が第７の評価色になるタイミングを存在させれば、発光色の照明下にいる人物に「リラックス」という感性を抱かせることができると推測される。この際、それらのタイミングの先後関係を様々に変化させた上で、複数の被験者に発光色の印象（リラックスという感性を抱くか否か）を尋ねたところ、それらのタイミングの先後関係に依存する差は見られなかった。つまり、「リラックス」という感性を抱かせるためには、発光色を第９、第８及び第７の評価色間で変化させることが重要であって、第９、第８及び第７の評価色の提示順序は問題とならないことが分かった。
【０１１９】
図１８において、破線で囲まれた領域４１２は、第２のまとまりに属する感性ワードのマッピング位置を内包する、感性マップ上の領域である。第２のまとまりに属する感性ワードは、感性ワード「健康的な」、「元気になりそう」、「明るい」、「ポジティブな」、「ハッピーな」、「活動的な」及び「暖かい」を含む。第２のまとまりに属する感性ワードの全てに共通する概念は「リフレッシュ」である。また、領域４１２には、第６の評価色である黄色の感性位置、第５の評価色である橙色の感性位置及び第３の評価色である赤色の感性位置も属している。従って、第６、第５及び第３の評価色としての黄色、橙色及び赤色は、「リフレッシュ」という感性を抱かせるのに適した色であることが分かる。
【０１２０】
このことから、発光色を関数ｆ（ｔ）に従って変化させる過程において、発光色が第６の評価色になるタイミング、発光色が第５の評価色になるタイミング及び発光色が第３の評価色になるタイミングを存在させれば、発光色の照明下にいる人物に「リフレッシュ」という感性を抱かせることができると推測される。この際、それらのタイミングの先後関係を様々に変化させた上で、複数の被験者に発光色の印象（リフレッシュという感性を抱くか否か）を尋ねたところ、それらのタイミングの先後関係に依存する差は見られなかった。つまり、「リフレッシュ」という感性を抱かせるためには、発光色を第６、第５及び第３の評価色間で変化させることが重要であって、第６、第５及び第３の評価色の提示順序は問題とならないことが分かった。
【０１２１】
図１９において、破線で囲まれた領域４１３は、第３のまとまりに属する感性ワードのマッピング位置を内包する、感性マップ上の領域である。第３のまとまりに属する感性ワードは、感性ワード「エレガントな」、「ロマンティックな」、「都会的な」、「高級感のある」、「大人っぽい」及び「上品な」を含む。第３のまとまりに属する感性ワードの全てに共通する概念は「ロマンティック」である。また、領域４１３には、第１の評価色であるピンク色の感性位置、第１２の評価色である紫色の感性位置及び第１３の評価色である白青色の感性位置も属している。従って、第１、第１２及び第１３の評価色としてのピンク色、紫色及び白青色は、「ロマンティック」という感性を抱かせるのに適した色であることが分かる。
【０１２２】
このことから、発光色を関数ｆ（ｔ）に従って変化させる過程において、発光色が第１の評価色になるタイミング、発光色が第１２の評価色になるタイミング及び発光色が第１３の評価色になるタイミングを存在させれば、発光色の照明下にいる人物に「ロマンティック」という感性を抱かせることができると推測される。この際、それらのタイミングの先後関係を様々に変化させた上で、複数の被験者に発光色の印象（ロマンティックという感性を抱くか否か）を尋ねたところ、それらのタイミングの先後関係に依存する差は見られなかった。つまり、「ロマンティック」という感性を抱かせるためには、発光色を第１、第１２及び第１３の評価色間で変化させることが重要であって、第１、第１２及び第１３の評価色の提示順序は問題とならないことが分かった。
【０１２３】
尚、感性マップ上において領域４１１〜４１３は互いに重なり合わない。従って、第１のまとまりに属する感性ワードと、第２のまとまりに属する感性ワードと、第３のまとまりに属する感性ワードは、互いに重複しない。
［３つの照明モードの設定］
第１感性評価実験に対する分析結果から、「リラックス」、「リフレッシュ」及び「ロマンティック」に対応する３つの照明モードＭＬＸ、ＭＦＳ及びＭＭＮを形成することができる。上記第１〜第Ｎの照明モードの中に、照明モードＭＬＸをリラックス照明モードとして含めることができ、照明モードＭＦＳをリフレッシュ照明モードとして含めることができ、照明モードＭＭＮをロマンティック照明モードとして含めることができる。
【０１２４】
リラックス照明モードは、ユーザ（即ち、アロマポット１の照明の下にいる人間）に「リラックス」という感性を抱かせるのに適した照明モードであり、リフレッシュ照明モードは、ユーザに「リフレッシュ」という感性を抱かせるのに適した照明モードであり、ロマンティック照明モードは、ユーザに「ロマンティック」という感性を抱かせるのに適した照明モードである。図２０（ａ）〜（ｃ）に、照明モードＭＬＸ、ＭＦＳ及びＭＭＮの発光条件を示す。
【０１２５】
図２０（ａ）に示す如く、照明モードＭＬＸの第１及び第２基準色は、夫々、第７の評価色である黄緑色及び第９の評価色である青緑色であり、照明モードＭＬＸの中間基準色として第８の評価色である緑色が採用される。中間基準色とは、第１基準色と第２基準色との間の中間的な色を表し、発光色が第１及び第２基準色間で変化する過程において発光色が中間基準色と一致するタイミングが存在する。関数ｆ（ｔ）の値がゼロのときに発光色を中間基準色と一致させることができる（後述の照明モードＭＦＳ及びＭＭＮについても同様）。但し、ｆ（ｔ）≠０且つ｜ｆ（ｔ）｜≠１．４５のときにおける発光色（例えば、ｆ（ｔ）＝０．１のときにおける発光色）が中間基準色と一致するように、図３の発光素子１６を制御しても良い（照明モードＭＦＳ及びＭＭＮについても同様）。
【０１２６】
図２０（ａ）の照明モードＭＬＸでは、上述の発光制御ＬＣ１が用いられることが想定されている。従って、図３のモード切替スイッチ１８により照明モードＭＬＸが選択照明モードとして指定されている期間において、ｆ（ｔ）＝１．４５の成立時には発光色は第１基準色である黄緑色となり、ｆ（ｔ）＝−１．４５の成立時には発光色は第２基準色である青緑色となる。但し、照明モードＭＬＸに対して上述の発光制御ＬＣ２を用いることも可能である。照明モードＭＬＸにおいて、第１基準色、中間基準色及び第２基準色の目標波長は、夫々、約５５０ｎｍ（ナノメートル）、約５３０ｎｍ、約４９０ｎｍに設定される。目標波長の意義は上述したとおりである。第１基準色、中間基準色及び第２基準色の目標波長の内、第１基準色の目標波長が最も長く、第２基準色の目標波長が最も短い（照明モードＭＦＳ及びＭＭＮについても同様）。
【０１２７】
このように、照明モードＭＬＸでは、発光色の変化過程において発光色が緑色を含むように発光色が変化せしめられる。換言すれば、照明モードＭＬＸでは、発光色が緑色系にて変化せしめられる。更に換言すれば、照明モードＭＬＸでは、発光色が黄緑色及び青緑色間で変化せしめられる。
【０１２８】
また、発光色の波長に注目したならば、照明モードＭＬＸでは、発光色の波長が概ね４９０ｎｍから５５０ｎｍまでの範囲で変化せしめられる。しかしながら、上述した有意水準を考慮すれば、照明モードＭＬＸの発光色における波長範囲を上述のものから若干拡大させても、同様の作用をユーザに与えるものと考えられる。但し、波長範囲を拡大させすぎると、照明モードＭＬＸの第１及び第２基準色が黄緑色及び青緑色から逸脱する。上述した有意水準を考慮しつつ、この逸脱が生じない範囲で、第１基準色の目標波長を増大させる或いは第２基準色の目標波長を減少させることが可能であり、例えば、照明モードＭＬＸにおける第１及び第２基準色の目標波長を、夫々、５６０ｎｍ及び４９０ｎｍに設定することも可能である。この場合、照明モードＭＬＸでは、発光色の波長が４９０ｎｍから５６０ｎｍまでの範囲で変化せしめられることになる。
【０１２９】
図２０（ｂ）に示す如く、照明モードＭＦＳの第１及び第２基準色は、夫々、第３の評価色である赤色及び第６の評価色である黄色であり、照明モードＭＦＳの中間基準色として第５の評価色である橙色が採用される。
【０１３０】
図２０（ｂ）の照明モードＭＦＳでは、上述の発光制御ＬＣ１が用いられることが想定されている。従って、図３のモード切替スイッチ１８により照明モードＭＦＳが選択照明モードとして指定されている期間において、ｆ（ｔ）＝１．４５の成立時には発光色は第１基準色である赤色となり、ｆ（ｔ）＝−１．４５の成立時には発光色は第２基準色である黄色となる。但し、照明モードＭＦＳに対して上述の発光制御ＬＣ２を用いることも可能である。照明モードＭＦＳにおいて、第１基準色、中間基準色及び第２基準色の目標波長は、夫々、約６１０ｎｍ（ナノメートル）、約５８０ｎｍ、約５７０ｎｍに設定される。
【０１３１】
このように、照明モードＭＦＳでは、発光色の変化過程において発光色が赤色を含むように発光色が変化せしめられる。換言すれば、照明モードＭＦＳでは、発光色が赤色系にて変化せしめられる。更に換言すれば、照明モードＭＦＳでは、発光色が赤色及び黄色間で変化せしめられる。
【０１３２】
また、発光色の波長に注目したならば、照明モードＭＦＳでは、発光色の波長が概ね５７０ｎｍから６１０ｎｍまでの範囲で変化せしめられる。しかしながら、上述した有意水準を考慮すれば、照明モードＭＦＳの発光色における波長範囲を上述のものから若干拡大させても、同様の作用をユーザに与えるものと考えられる。但し、波長範囲を拡大させすぎると、照明モードＭＦＳの第１及び第２基準色が赤色及び黄色から逸脱する。上述した有意水準を考慮しつつ、この逸脱が生じない範囲で、第１基準色の目標波長を増大させる或いは第２基準色の目標波長を減少させることが可能であり、例えば、照明モードＭＦＳにおける第１及び第２基準色の目標波長を、夫々、６３０ｎｍ及び５６０ｎｍに設定することも可能である。この場合、照明モードＭＦＳでは、発光色の波長が５６０ｎｍから６３０ｎｍまでの範囲で変化せしめられることになる。
【０１３３】
図２０（ｃ）に示す如く、照明モードＭＭＮの第１及び第２基準色は、夫々、第１の評価色であるピンク色及び第１３の評価色である白青色であり、照明モードＭＭＮの中間基準色として第１２の評価色である紫色が採用される。
【０１３４】
図２０（ｃ）の照明モードＭＭＮでは、上述の発光制御ＬＣ１が用いられることが想定されている。従って、図３のモード切替スイッチ１８により照明モードＭＭＮが選択照明モードとして指定されている期間において、ｆ（ｔ）＝１．４５の成立時には発光色は第１基準色であるピンク色となり、ｆ（ｔ）＝−１．４５の成立時には発光色は第２基準色である白青色となる。但し、照明モードＭＭＮに対して上述の発光制御ＬＣ２を用いることも可能である。照明モードＭＭＮにおいて、第１基準色、中間基準色及び第２基準色の目標波長は、夫々、約４００ｎｍ（ナノメートル）、約４３０ｎｍ、約４５０ｎｍに設定される。尚、照明モードＭＭＮでは、上述してきた幾つかの照明モードと異なり、第１基準色における発光色の波長が第２基準色における発光色の波長よりも短くなっている。
【０１３５】
このように、照明モードＭＭＮでは、発光色の変化過程において発光色が紫色を含むように発光色が変化せしめられる。換言すれば、照明モードＭＭＮでは、発光色が紫色系にて変化せしめられる。更に換言すれば、照明モードＭＭＮでは、発光色がピンク色及び白青色間で変化せしめられる。
【０１３６】
また、発光色の波長に注目したならば、照明モードＭＭＮでは、発光色の波長が概ね４００ｎｍから４５０ｎｍまでの範囲で変化せしめられる。しかしながら、上述した有意水準を考慮すれば、照明モードＭＭＮの発光色における波長範囲を上述のものから若干拡大させても、同様の作用をユーザに与えるものと考えられる。但し、波長範囲を拡大させすぎると、照明モードＭＭＮの第１及び第２基準色がピンク色及び白青色から逸脱する。上述した有意水準を考慮しつつ、この逸脱が生じない範囲で、第１基準色の目標波長を増大させる或いは第２基準色の目標波長を減少させることが可能である。しかしながら、前者の増大を若干量でも実行すれば第１基準色がピンク色から逸脱し、後者の減少を若干量でも実行すれば第２基準色が白青色から逸脱することが分かった。従って、照明モードＭＭＮでは、結局、発光色の波長を４００ｎｍから４５０ｎｍまでの範囲で変化させることが望ましい。
【０１３７】
尚、照明モードＭＭＮの第１基準色として用いられるピンク色は紫色に近いピンク色である一方、上述の照明モードＪＢの第１基準色として用いられるピンク色は赤色に近いピンク色である。このため、照明モードＭＭＮで想定されるピンク色の波長（約４００ｎｍ）と、照明モードＪＢで想定されるピンク色の波長（約６７０ｎｍ）との間には、相当の相違が存在している。
【０１３８】
上述したように、ユーザは、図３のモード切替スイッチ１８を用い、自身が抱きたい感性に応じて選択照明モードを指定することができる。第１〜第Ｎ照明モードの内、何れかの照明モードが選択照明モードとして指定されるべきかを指し示す信号（以下、モード選択信号という）がモード切替スイッチ１８から主制御部１９に伝達され、主制御部１９が、モード選択信号に応じたパラメータをパラメータＲＯＭ２０から読み出すことで選択照明モードにおける発光が成される。
【０１３９】
「リラックス」の感性を抱いていないユーザが、照明モードＭＬＸを選択照明モードに指定した上で発光素子１６による照明の下にいれば、照明モードＭＬＸでの発光素子１６の発光により「リラックス」の感性を抱くようになる。即ち、発光素子１６による発光前後において、ユーザの抱く感性が変化する（「リラックス」の感性を抱いていない状態から「リラックス」の感性を抱く状態へと変化する）。「リフレッシュ」及び「ロマンティック」に対応する照明モードＭＦＳ及びＭＭＮについても同様である。このように、アロマポット１は、発光素子１６による照明の下にいる人間の感性を、発光素子１６の発光によって変化させる感性変化装置としての機能を有する。
［第２感性評価実験］
次に、関数ｆ（ｔ）のパラメータであるｆｉ及びαｉを、それらの基準値（ｆｉＲＥＦ及びαｉＲＥＦ）から変化させたときの影響を調べるべく、以下のような主観実験（以下、第２感性評価実験という）を行った。
【０１４０】
第２感性評価実験では、評価対象照明モードにおけるアロマポット１の発光色と同等の色を実験用ＰＣのモータ上に表示させ、そのモニタの表示色を被験者に観測させた。評価対象照明モードは、照明モードＭＬＸ、ＭＦＳ及びＭＭＮである。照明モードＭＬＸ、ＭＦＳ又はＭＭＮでは、アロマポット１の発光色が関数ｆ（ｔ）に従って変化するため、アロマポット１の発光色の変化と同等の色変化を、実験用ＰＣのモータ上で被験者に観測させたことになる。被験者は、女性１０名と男性１０名から成る計２０名の人物である。第２感性評価実験における実験用ＰＣの周辺照度は約１００ルクスであった。照明モードＭＬＸ、ＭＦＳ及びＭＭＮの内、何れの照明モードを何れの順番で提示するのかは被験者ごとにランダムに設定された。
【０１４１】
第１の評価対象照明モードとしての照明モードＭＬＸに対して、第１〜第７パラメータ条件を設定した。図２１に、第１〜第７パラメータ条件の内容を示す。
【０１４２】
第１パラメータ条件では、周波数のパラメータであるｆ１〜ｆ５に夫々基準値ｆ１ＲＥＦ〜ｆ５ＲＥＦを設定し、且つ、重みのパラメータであるα１〜α５に夫々基準値α１ＲＥＦ〜α５ＲＥＦを設定した。
【０１４３】
第２パラメータ条件では、ｆ１〜ｆ５に夫々基準値ｆ１ＲＥＦ〜ｆ５ＲＥＦを設定する一方で、低周波側の重み付け係数であるα４及びα５の値を基準値α４ＲＥＦ及びα５ＲＥＦよりも増大させた。但し、この際、α１〜α５の合計値が１．４５程度になるという制限（蝋燭実験に基づく制限）を課すことで、高周波側の重み付け係数であるα１〜α３の値を基準値α１ＲＥＦ〜α３ＲＥＦよりも小さくした。具体的には、第２パラメータ条件では、α１、α２及びα３に０．１０を設定し且つα４及びα５に０．５８を設定した。
【０１４４】
第３パラメータ条件では、ｆ１〜ｆ５に夫々基準値ｆ１ＲＥＦ〜ｆ５ＲＥＦを設定する一方で、高周波側の重み付け係数であるα１及びα２の値を基準値α１ＲＥＦ及びα２ＲＥＦよりも増大させた。但し、この際、上記制限を課すことで、低周波側の重み付け係数であるα３〜α５の値を基準値α３ＲＥＦ〜α５ＲＥＦよりも小さくした。具体的には、第３パラメータ条件では、α１及びα２に０．５８を設定し且つα３〜α５に０．１０を設定した。
【０１４５】
第４パラメータ条件では、ｆ１〜ｆ５に夫々上限値ｆ１ＭＡＸ〜ｆ５ＭＡＸを設定する一方で、重み付け係数については、第２パラメータ条件と同様、α１＝α２＝α３＝０．１０且つα４＝α５＝０．５８、とした。
【０１４６】
第５パラメータ条件では、ｆ１〜ｆ５に夫々上限値ｆ１ＭＡＸ〜ｆ５ＭＡＸを設定する一方で、重み付け係数については、第３パラメータ条件と同様、α１＝α２＝０．５８且つα３＝α４＝α５＝０．１０、とした。
【０１４７】
第６パラメータ条件では、ｆ１〜ｆ５に夫々下限値ｆ１ＭＩＮ〜ｆ５ＭＩＮを設定する一方で、重み付け係数については、第２パラメータ条件と同様、α１＝α２＝α３＝０．１０且つα４＝α５＝０．５８、とした。
【０１４８】
第７パラメータ条件では、ｆ１〜ｆ５に夫々下限値ｆ１ＭＩＮ〜ｆ５ＭＩＮを設定する一方で、重み付け係数については、第３パラメータ条件と同様、α１＝α２＝０．５８且つα３＝α４＝α５＝０．１０、とした。
【０１４９】
第１の評価対象照明モードとしての照明モードＭＬＸに対して、第１〜第７パラメータ条件を設定し、パラメータ条件ごとに、照明モードＭＬＸにおける色変化を実験用ＰＣのモータ上で被験者に観測させた。そして、パラメータ条件ごとに、観測した色変化が自身に「リラックス」という感性を抱かせるかどうかを各被験者に回答させた。回答は、１０点満点の点数付けにて行った。観測によって「リラックス」という感性を全く抱かなければ被験者は０点の点数をつけ、「リラックス」という感性を強く抱けば抱くほど被験者は１０点に近い点数をつけるものとする。
【０１５０】
照明モードＭＬＸに関し、パラメータ条件ごとに、２０名の被験者による点数の平均点を求めた。図２２（ａ）に、照明モードＭＬＸに関する第１〜第７パラメータ条件での平均点を棒グラフとして示す。図２２（ａ）の棒グラフにおいて、バーＢＬＸ［ｉ］は、照明モードＭＬＸに関する第ｉパラメータ条件での平均点を表している。照明モードＭＬＸに関し、第１〜第７パラメータ条件での平均点は、夫々、８．８、８．２、４．０、８．１、４．２、７．５、４．１であった。
【０１５１】
第２の評価対象照明モードとしての照明モードＭＦＳに対しても、上述の第１〜第７パラメータ条件を設定し、パラメータ条件ごとに、照明モードＭＦＳにおける色変化を実験用ＰＣのモータ上で被験者に観測させた。そして、パラメータ条件ごとに、観測した色変化が自身に「リフレッシュ」という感性を抱かせるかどうかを各被験者に回答させた。回答方法は、照明モードＭＬＸに対するそれと同様である。従って、観測によって「リフレッシュ」という感性を全く抱かなければ被験者は０点の点数をつけ、「リフレッシュ」という感性を強く抱けば抱くほど被験者は１０点に近い点数をつけるものとする。照明モードＭＦＳに関し、パラメータ条件ごとに、２０名の被験者による点数の平均点を求めた。図２２（ｂ）に、照明モードＭＦＳに関する第１〜第７パラメータ条件での平均点を棒グラフとして示す。図２２（ｂ）の棒グラフにおいて、バーＢＦＳ［ｉ］は、照明モードＭＦＳに関する第ｉパラメータ条件での平均点を表している。照明モードＭＦＳに関し、第１〜第７パラメータ条件での平均点は、夫々、８．８、７．４、４．１、８．３、４．１、６．８、３．５であった。
【０１５２】
第３の評価対象照明モードとしての照明モードＭＭＮに対しても、上述の第１〜第７パラメータ条件を設定し、パラメータ条件ごとに、照明モードＭＭＮにおける色変化を実験用ＰＣのモータ上で被験者に観測させた。そして、パラメータ条件ごとに、観測した色変化が自身に「ロマンティック」という感性を抱かせるかどうかを各被験者に回答させた。回答方法は、照明モードＭＬＸに対するそれと同様である。従って、観測によって「ロマンティック」という感性を全く抱かなければ被験者は０点の点数をつけ、「ロマンティック」という感性を強く抱けば抱くほど被験者は１０点に近い点数をつけるものとする。照明モードＭＭＮに関し、パラメータ条件ごとに、２０名の被験者による点数の平均点を求めた。図２２（ｃ）に、照明モードＭＭＮに関する第１〜第７パラメータ条件での平均点を棒グラフとして示す。図２２（ｃ）の棒グラフにおいて、バーＢＭＮ［ｉ］は、照明モードＭＭＮに関する第ｉパラメータ条件での平均点を表している。照明モードＭＭＮに関し、第１〜第７パラメータ条件での平均点は、夫々、８．８、７．８、４．５、８．３、３．６、７．０、３．８であった。
【０１５３】
図２２（ａ）〜（ｃ）の結果をパラメータ条件ごとに平均化した棒グラフを、図２２（ｄ）に示す。図２２（ｄ）の棒グラフにおいて、バーＢＡＬＬ［ｉ］は、図２２（ａ）〜（ｃ）のバーＢＬＸ［ｉ］及びＢＦＳ［ｉ］及びＢＭＮ［ｉ］が示す点数の平均点を表している。バーＢＡＬＬ［１］〜ＢＡＬＬ［７］が表す点数は、夫々、８．８、７．８、４．２、８．２、３．９、７．１、３．８であった。
【０１５４】
図２２（ａ）〜（ｄ）から明らかなように、照明モードＭＬＸ、ＭＦＳ及びＭＭＮの何れにおいても、低周波側の重み付け係数を高周波側の重み付け係数よりも相対的に大きくした第２、第４及び第６パラメータ条件の方が、高周波側の重み付け係数を低周波側の重み付け係数よりも相対的に大きくした第３、第５及び第７パラメータ条件よりも、評価の点数が有意に高かった。また、照明モードＭＬＸ、ＭＦＳ及びＭＭＮの何れにおいても、第１パラメータ条件の方が第２、第４及び第６パラメータ条件よりも評価の点数が若干高かったが、それらは同程度であり、有意水準を考慮すればそれらの間に有意差は存在しないともいえる。
【０１５５】
以上を考慮して代表的な例を挙げると、アロマポット１に対し、以下に示す第１実施例又は第２実施例を採用することができる。
［第１実施例］
第１実施例では、第１〜第Ｎの照明モードの中に、照明モードＭＬＸ、ＭＦＳ及びＭＭＮが、夫々、リラックス照明モード、リフレッシュ照明モード及びロマンティック照明モードとして含められる。第１実施例において、各照明モードで利用されるｆｉ及びαｉの値は、第１パラメータ条件に従う（図２１参照）或いは上記不等式（１１）〜（２０）を満たす範囲内で決定される。第１〜第Ｎの照明モードの中に、照明モードＭＬＸ、ＭＦＳ及びＭＭＮの内、何れか１つ又は２つのみが含まれていても良い（後述の第２実施例においても同様）。
【０１５６】
リラックス照明モードが選択照明モードとして指定されると「リラックス」の感性をユーザに抱せる作用が得られ、リフレッシュ照明モードが選択照明モードとして指定されると「リフレッシュ」の感性をユーザに抱せる作用が得られ、ロマンティック照明モードが選択照明モードとして指定されると「ロマンティック」の感性をユーザに抱せる作用が得られる。即ち、アロマポット１の照明によってユーザに快適な感性を抱かせることが可能となる。後述の第２実施例においても同様である。
［第２実施例］
第２実施例においても、第１〜第Ｎの照明モードの中に、照明モードＭＬＸ、ＭＦＳ及びＭＭＮが、夫々、リラックス照明モード、リフレッシュ照明モード及びロマンティック照明モードとして含められる。第２実施例において、各照明モードで利用されるｆｉ及びαｉの値は、第２、第４又は第６パラメータ条件に従う（図２１参照）。但し、各照明モードで利用されるｆｉの値に関しては、上記不等式（１１）〜（１５）を満たす範囲内で任意に決定しても良い。
【０１５７】
ところで、第１パラメータ条件では、（α１，α２，α３，α４，α５）＝（０．２８，０．２６，０．３９，０．２５，０．２７）に設定される。即ち、高周波側の重み付け係数α１〜α３は低周波側の重み付け係数α４及びα５と同等或いはそれ以上である。
【０１５８】
また、第２パラメータ条件では、（α１，α２，α３，α４，α５）＝（０．１０，０．１０，０．１０，０．５８，０．５８）に設定される。
【０１５９】
一方で、図２２（ａ）〜（ｄ）を参照して説明したように、第２感性評価実験の評価結果を、第１パラメータ条件と第２パラメータ条件との間で比較した場合、それらの間に有意差は見られない。
【０１６０】
そうすると、例えば、第１パラメータ条件と第２パラメータ条件との間の条件にてαｉを決定しても、第１又は第２パラメータ条件を採用したときと同等の感性をユーザに抱かせることができると言える。即ち例えば、（α１，α２，α３，α４，α５）＝（０．１５，０．１５，０．１５，０．５０，０．５０）、又は、（α１，α２，α３，α４，α５）＝（０．２０，０．２０，０．２０，０．４３，０．４３）、又は、（α１，α２，α３，α４，α５）＝（０．２５，０．２０，０．２３，０．４０，０．３７）などに従ってαｉの値を設定しても、第１又は第２パラメータ条件を採用したときと同等の感性をユーザに抱かせることができると言える。つまり、α４及びα５の夫々をα１〜α３の夫々よりも大きくしたならば、第１又は第２パラメータ条件を採用したときと同等の感性をユーザに抱かせることができると言える。故に、第２実施例の各照明モードおいては、α４及びα５の夫々がα１〜α３の夫々よりも大きいという条件を満たす範囲内で、αｉの値を自由に設定しても良い。但し、α１〜α３の値をゼロよりも大きくすべきである。
【０１６１】
尚、第１又は第２実施例において、第１〜第Ｎの照明モードの中に、照明モードＭＬＸ２を第２リラックスモードとして含めるようにしても良い。
【０１６２】
照明モードＭＬＸ２の第１及び第２基準色は夫々橙色及び黄色である。照明モードＭＬＸ２において、第１基準色の目標波長は５９５ｎｍ〜６１０ｎｍの範囲内で設定され、第２基準色の目標波長は５８０ｎｍ〜５９５ｎｍの範囲内で設定される。具体的には例えば、照明モードＭＬＸ２における第１及び第２基準色の目標波長は夫々６１０ｎｍ及び５８０ｎｍに設定される。この場合、照明モードＭＬＸ２では、発光色の波長が５８０ｎｍから６１０ｎｍまでの範囲で変化せしめられることになる。このように、照明モードＭＬＸ２では、発光色の変化過程において発光色が黄色を含むように発光色が変化せしめられる。換言すれば、照明モードＭＬＸ２では、発光色が黄色系にて変化せしめられる。更に換言すれば、照明モードＭＬＸ２では、発光色が橙色及び黄色間で変化せしめられる。照明モードＭＬＸ２における発光色は実際の蝋燭からの光の色と同等であり、照明モードＭＬＸ２における発光色及び発光輝度のゆらぎは、実際の蝋燭のそれを同様である。従って、照明モードＭＬＸ２によれば、蝋燭の光の照明下にいるときと同様のリラックス効果をユーザに与えることができる。
【０１６３】
また、任意の照明モードにおいて、第１基準色及び第２基準色を入れ替えるようにしても良い。例えば、図２０（ａ）に対応する照明モードＭＬＸにおいて、波長が約４９０ｎｍの青緑色を第１基準色に設定すると共に波長が約５５０ｎｍの黄緑色を第２基準色に設定するようにしても良い。照明モードＭＦＳ、ＭＭＮ及びＭＬＸ２等においても同様である。
【０１６４】
＜＜変形等＞＞
上述の説明文中に示した具体的な数値は、単なる例示であって、当然の如く、それらを様々な数値に変更することができる。上述の実施形態に適用可能な注釈事項として、以下に、注釈１〜注釈９を記す。各注釈に記載した内容は、矛盾なき限り、任意に組み合わせることが可能である。
［注釈１］
図３に示す構成から香料拡散部１４を削除するようにしても良い。この場合、アロマポット１は単なる照明装置（又は発光装置）として機能する。このような照明装置は、任意の形態の照明装置（特に例えば室内用照明装置）になりうる。
［注釈２］
上述してきた主旨を逸脱しない範囲でｆ（ｔ）の定義式を変形することも可能である。例えば、上記式（１）に従うｆ（ｔ）の代わりに、下記式（１Ａ）又は式（１Ｂ）に従うｆ（ｔ）を用いて発光素子１６の発光状態を制御するようにしても良い。ｋＡ及びｋＢは所定の一定値であり、ｋＡはゼロではないが、ｋＢはゼロであっても良い。Ｋは、６以上の整数である。
【０１６５】
【数２】
2011222470.tif 000004
【０１６６】
［注釈３］
心地よい感性を人間に抱かせることにとっては、発光色及び発光輝度の双方をｆ（ｔ）の値に基づき変化させることが最も望ましいが、何れか１以上の照明モードにおいて、発光色のみをｆ（ｔ）の値に基づいて変化させるようにし、発光輝度をｆ（ｔ）の値に関係なく固定するようにしても良い。或いは、何れか１以上の照明モードにおいて、発光色のみをｆ（ｔ）の値に基づいて変化させるようにし、発光輝度をｇ（ｔ）の値に基づいて変化させるようにしても良い。ｇ（ｔ）は、ｆ（ｔ）とは異なる時間の関数である。
［注釈４］
上記Ｎ個の照明モードとは別に、ＡＵＴＯ照明モード、固定照明モード及び発光オフ照明モードを設けておき、ＡＵＴＯ照明モード、固定照明モード又は発光オフ照明モードを選択照明モードとして指定できるようにモード切替スイッチ１８及び主制御部１９を形成しておいても良い。
【０１６７】
ＡＵＴＯ照明モードでは、複数の照明モードにおける発光制御が順次切り替わって実行される。例えば、ＡＵＴＯ照明モードが選択照明モードとして指定されると、所定の期間だけ第ｉの照明モードにて発光制御が成され、その後は、第ｊの照明モードにおける発光制御が成されるようになる（ここにおけるｉ及びｊは、１以上Ｎ以下の互いに異なる整数）。
【０１６８】
固定照明モードでは、発光色及び発光輝度が時間の変化に対して不変とされる。即ち、固定照明モードが選択照明モードとして指定されると、発光色及び発光輝度が一定とされる。発光オフ照明モードでは、常に発光輝度がゼロとされる（即ち、ＬＥＤ１６Ｒ、１６Ｇ及び１６Ｂの全てが常にオフとされる）。
［注釈５］
必要ならば、ＬＥＤ１６Ｒ、１６Ｇ及び１６Ｂの発光の混合によって発光素子１６の発光色を白色にすることができる。しかしながら、何れかの照明モードにおいて発光色を白色にする必要がある場合、発光素子１６に、ＬＥＤ１６Ｒ、１６Ｇ及び１６Ｂに加えて、ＬＥＤ１６Ｗ（不図示）を設けるようにしても良い。ＬＥＤ１６Ｗは、単体で白色の光を発生することの可能な白色ＬＥＤである。ＬＥＤ１６Ｗをも発光素子１６に設ける場合、発光素子１６の発光色は、ＬＥＤ１６Ｒ、１６Ｇ、１６Ｂ及び１６Ｗからの光を合成した光であり、発光素子１６の発光輝度は、ＬＥＤ１６Ｒ、１６Ｇ、１６Ｂ及び１６Ｗの発光によって得られる発光素子１６の全体的な輝度である。
【０１６９】
第ｉの照明モードにおいて、発光素子１６の発光色を白色にする必要がある場合、ｆ（ｔ）の値とｄｕｔｙＲ、ｄｕｔｙＧ、ｄｕｔｙＢ及びｄｕｔｙＷの値との関係を規定するデータを、第ｉのパラメータとしてパラメータＲＯＭ２０に格納しておけばよい。ｄｕｔｙＲ等と同様、ｄｕｔｙＷはＬＥＤ１６Ｗがオンとなる時間的比率を表しており、（１―ｄｕｔｙＷ）はＬＥＤ１６Ｗがオフとなる時間的比率を表している。
［注釈６］
上述の実施形態では、主制御部１９によって発光素子１６からの光の強さが制御され、光の強さを表す指標（物理量）が輝度であることを想定しているが、制御されるべき光の強さを表す指標は輝度以外の他の指標でもよい。他の指標は、例えば、光度又は照度である。
［注釈７］
アロマポット１を、ハードウェアとソフトウェアの組み合わせによって構成することができる。ソフトウェアを用いて実現される機能をプログラムとして記述し、該プログラムを主制御部１９上で実行することによって、その機能を実現するようにしてもよい。例えば、上述の発光制御を、ソフトウェアを用いて実現することができる。
［注釈８］
本発明に係る拡散装置（照明付き拡散装置）は、香料の拡散機能を備えた香料拡散装置（照明付き香料拡散装置）に限定されない。即ち、上述の実施形態に係るアロマポット１は揮発性物質の一種としての香料の拡散機能を備えているが、本発明に係る拡散装置（照明付き拡散装置）の拡散部にて拡散されるべき揮発性物質は香料に限定されない。例えば、本発明に係る拡散装置（照明付き拡散装置）の拡散部にて拡散されるべき揮発性物質は、害虫（例えば蚊）又は害獣（例えばねずみ）の駆除に適した揮発性物質であっても良い。この場合には、害虫又は害獣を駆除する効果を得つつ、照明による快適な感性を抱かせる効果を得ることができる。
［注釈９］
例えば、以下のように考えることができる（図３参照）。発光素子１６は、発光色が可変の発光部として機能する。この発光部の構成要素に発光回路１７が含まれていると考えても構わない。主制御部１９は、発光部の発光色及び発光部からの光の強さを制御する発光制御部としての機能を備える。この発光制御部の構成要素に、パラメータＲＯＭ２０が含まれていると考えても構わない。上記の発光部及び発光制御部をそれぞれ照明部及び照明制御部と呼ぶこともできる。これに併せて、上述の実施形態中に記載した文言“発光色”及び“発光輝度”を夫々“照明色”及び“照明輝度”と読み替えることもできる。上記の発光部と発光制御部を備えた装置は照明装置として機能する。上記の照明装置を発光装置と呼ぶこともできる。
【符号の説明】
【０１７０】
１  アロマポット
５０  開口部
５１  主筐体
５２  基台
５３  電池収容部
５４  電池
５５、５６、６３  基板
５７  ＬＥＤ部
５８  受け皿
５９  蓋
６０  香料収容部
６１  発熱体
６２  ＰＴＣサーミスタ
６４  内部筐体
６５、６６  配線
【図１】
2011222470.tif 000005
【図２】
2011222470.tif 000006
【図３】
2011222470.tif 000007
【図４】
2011222470.tif 000008
【図５】
2011222470.tif 000009
【図６】
2011222470.tif 000010
【図７】
2011222470.tif 000011
【図８】
2011222470.tif 000012
【図９】
2011222470.tif 000013
【図１０】
2011222470.tif 000014
【図１１】
2011222470.tif 000015
【図１２】
2011222470.tif 000016
【図１３】
2011222470.tif 000017
【図１４】
2011222470.tif 000018
【図１５】
2011222470.tif 000019
【図１６】
2011222470.tif 000020
【図１７】
2011222470.tif 000021
【図１８】
2011222470.tif 000022
【図１９】
2011222470.tif 000023
【図２０】
2011222470.tif 000024
【図２１】
2011222470.tif 000025
【図２２】
2011222470.tif 000026